(57)【要約】  この出願は、SIMカード、メモリカード、メモリカードアダプタ、及び端末デバイスを提供する。当該端末デバイスは、カードソケット、SIMモジュール、メモリカードモジュール、スイッチ、検出回路、及び制御回路を含む。カードソケットは、SIMカード又はメモリカードを配置するように構成され、カードソケットは、第1のインターフェイスを含み、第1のインターフェイスは、スイッチを介してSIMカード又はメモリカードに接続される。第1のインターフェイスは、スイッチの第1の端子に接続される。SIMモジュールは、スイッチの第3の端子に接続される。メモリカードモジュールは、スイッチの第3の端子に接続される。検出回路は、端末デバイスの中に配置されているカードがSIMカードであるか又はメモリカードであるということを検出するように構成される。制御回路は、検出回路の検出結果に基づいて、スイッチの第2の端子に接続するようにスイッチの第1の端子を制御するか、又は、スイッチの第3の端子に接続するようにスイッチの第1の端子を制御する。したがって、端末デバイスのカードソケットは、SIMカード又はメモリカードのうちのいずれかを配置するように構成されてもよく、それにより、端末デバイスの空間利用を改善する。
2022502978.tif 000002
【特許請求の範囲】
【請求項１】
端末デバイスであって、当該端末デバイスは、
カードソケット、SIMモジュール、メモリカードモジュール、スイッチ、検出回路、及び制御回路を含み、
前記カードソケットは、SIMカード又はメモリカードを配置するように構成され、前記カードソケットは、第1のインターフェイスを含み、前記第1のインターフェイスは、前記スイッチを介して前記SIMカード又は前記メモリカードに接続され、
前記第1のインターフェイスは、前記スイッチの第1の端子に接続され、
前記SIMモジュールは、前記スイッチの第2の端子に接続され、
前記メモリカードモジュールは、前記スイッチの第3の端子に接続され、
前記検出回路は、前記カードソケットの中に配置されているカードがSIMカードであるか又はメモリカードであるということを検出するように構成され、
前記制御回路は、前記検出回路の検出結果に基づいて、前記スイッチの前記第2の端子に接続するように前記スイッチの前記第1の端子を制御するか、又は、前記スイッチの前記第3の端子に接続するように前記スイッチの前記第1の端子を制御する、
端末デバイス。
【請求項２】
前記SIMカードの外形は、前記メモリカードの外形と同じであり、前記SIMカードの大きさは、前記メモリカードの大きさと同じである、請求項1に記載の端末デバイス。
【請求項３】
前記SIMカードは、ナノSIMカードである、請求項2に記載の端末デバイス。
【請求項４】
前記SIMモジュールは、少なくとも、SIMデータインターフェイス、SIMリセットインターフェイス、及びSIMクロックインターフェイスを含み、前記メモリカードモジュールは、少なくとも、第1のメモリカードデータインターフェイス、第2のメモリカードデータインターフェイス、及びメモリカードクロックインターフェイスを含み、
前記SIMデータインターフェイスは、第1のスイッチの第2の端子に接続され、前記第1のメモリカードデータインターフェイスは、前記第1のスイッチの第3の端子に接続され、
前記SIMリセットインターフェイスは、第2のスイッチの第2の端子に接続され、前記第2のメモリカードデータインターフェイスは、前記第2のスイッチの第3の端子に接続され、
前記SIMクロックインターフェイスは、第3のスイッチの第2の端子に接続され、前記メモリカードクロックインターフェイスは、前記第3のスイッチの第3の端子に接続され、
前記第1のスイッチの前記第1の端子は、前記第1のインターフェイスの第1の端子に接続され、
前記第2のスイッチの前記第1の端子は、前記第1のインターフェイスの第2の端子に接続され、
前記第3のスイッチの前記第1の端子は、前記第1のインターフェイスの第3の端子に接続される、請求項3に記載の端末デバイス。
【請求項５】
前記検出回路が、前記カードソケットの中に配置されているカードがSIMカードであるか又はメモリカードであるということを検出するように構成されることは、
前記カードスロットの中に配置されているカードが存在するときは、前記制御回路が、前記カードに第1のコマンドを送信し、そして、前記検出回路が、前記カードからの応答に基づいて、前記カードが前記メモリカードであるか又は前記SIMカードであるということを検出することを含む、請求項1乃至4のうちのいずれか1項に記載の端末デバイス。
【請求項６】
当該端末デバイスは、電源をさらに含み、前記カードソケットの中に配置されているカードが存在するときに、前記電源の電圧は、第1の電圧に設定され、
前記検出回路が、前記カードが前記メモリカードであるか又は前記SIMカードであるということを検出するときに、前記電源の前記電圧は、前記メモリカード又は前記SIMカードに対応する電圧に設定される、請求項1乃至5のうちのいずれか1項に記載の端末デバイス。
【請求項７】
メモリカードであって、当該メモリカードの外形は、SIMカードの外形と同じであり、当該メモリカードの大きさは、前記SIMカードの大きさと同じであり、当該メモリカードにおける電力インターフェイスの位置は、前記SIMカードにおける電力インターフェイスの位置に対応し、当該メモリカードにおける接地インターフェイスの位置は、前記SIMカードにおける接地インターフェイスの位置に対応する、
メモリカード。
【請求項８】
前記SIMカードは、ナノSIMカードであり、
当該メモリカードは、SIMモジュール及びメモリカードモジュールを含む端末デバイスに適用され、前記SIMモジュールは、少なくとも、SIMデータインターフェイス、SIMリセットインターフェイス、及びSIMクロックインターフェイスを含み、前記メモリカードモジュールは、少なくとも、第1のメモリカードデータインターフェイス、第2のメモリカードデータインターフェイス、及びメモリカードクロックインターフェイスを含み、
前記SIMカードにおける前記SIMデータインターフェイスの位置は、当該メモリカードにおける前記第1のメモリカードデータインターフェイスの位置に対応し、前記SIMカードにおける前記SIMリセットインターフェイスの位置は、当該メモリカードにおける前記第2のメモリカードデータインターフェイスの位置に対応し、前記SIMカードにおける前記SIMクロックインターフェイスの位置は、当該メモリカードにおける前記メモリカードクロックインターフェイスの位置に対応する、請求項7に記載のメモリカード。
【請求項９】
メモリカードアダプタであって、当該メモリカードアダプタは、
第1の標準のメモリカードソケットに対応するハウジング部分を含み、前記ハウジング部分は、
カードソケットであって、前記カードソケットは、第2の標準のメモリカードを配置するように構成され、前記第2の標準の前記メモリカードの外形は、ナノSIMカードの外形と同じであり、前記第2の標準の前記メモリカードの大きさは、前記ナノSIMカードの大きさと同じであり、前記第2の標準の前記メモリカードのインターフェイスの少なくとも1つの位置は、前記ナノSIMカードのインターフェイスの位置に対応する、カードソケットと、
変換器回路であって、前記変換器回路は、第1の標準のメモリカードのインターフェイスへと、前記第2の標準の前記メモリカードのインターフェイスを変換するように構成されている、変換器回路と、を含む、
メモリカードアダプタ。
【請求項１０】
前記第1の標準の前記メモリカードの動作レベルは、前記第2の標準の前記メモリカードの動作レベルとは異なり、前記変換器回路は、レベル変換器回路及びトランス回路を含み、前記レベル変換器回路は、通信の際に、前記第1の標準の前記メモリカードの前記インターフェイスの動作レベルと前記第2の標準の前記メモリカードの前記インターフェイスの動作レベルとの間で変換を実行するように構成され、前記トランス回路は、前記レベル変換器回路に電力を供給するように構成される、請求項9に記載のメモリカードアダプタ。
【請求項１１】
前記第1の標準の前記メモリカードは、複数の動作レベルを含み、当該メモリカードアダプタは、スイッチをさらに含み、前記スイッチは、当該メモリカードアダプタの前記動作レベルを制御するように構成される、請求項9又は10に記載のメモリカードアダプタ。
【請求項１２】
前記スイッチは、前記ハウジング部分の中の前記変換器回路と前記第1の標準のメモリカードインターフェイスとの間に配置されている、請求項11記載のメモリカードアダプタ。
【発明の詳細な説明】
【技術分野】
【０００１】
本発明の複数の実施形態は、通信技術の分野に関し、特に、メモリカード、メモリカードアダプタ、及び端末デバイスに関する。
【背景技術】
【０００２】
技術の継続的な発展及び人々の生活ニーズの持続的な増大に伴って、人体の生理機能に適応するために、端末デバイスの大きさはあまり変化していないが、一方で、端末デバイスの機能は増大しつつある。結果として、ある端末デバイスの中の空間は、極めて貴重なものとなる。特に、ユーザが大画面及びフルスクリーンの端末デバイスを追求すると、端末デバイスの中にさまざまな機能モジュールを配置するための空間は、さらに圧縮される。したがって、端末デバイスの空間利用を改善することは特に重要である。
【０００３】
現在、端末デバイスの多くは、2つの加入者識別モジュール(subscriber  identification  module,  SIM)を使用して構成されているが、一方で、市場においては、人々の多くは、1つのみのSIMを使用し、残りのカードソケットは、基本的に、空のままとなっている。その残りのカードソケットをどのようにより有効に利用するかは、当業者が緊急に解決することが必要である技術的な問題となっている。
【発明の概要】
【０００４】
この出願の複数の実施形態は、メモリカード、メモリカードアダプタ、及び端末デバイスを提供する。この出願のそれらの複数の実施形態のうちのいくつかにおいては、端末デバイスの中のカードソケットを有効に利用して、端末デバイスの空間利用を改善することが可能である。
【０００５】
第1の態様によれば、この出願は、端末デバイスを提供する。当該端末デバイスは、カードソケット、SIMモジュール、メモリカードモジュール、スイッチ、検出回路、及び制御回路を含む。前記カードソケットは、SIMカード又はメモリカードを配置するように構成され、前記カードソケットは、第1のインターフェイスを含み、前記第1のインターフェイスは、前記スイッチを介して前記SIMカード又は前記メモリカードに接続される。前記第1のインターフェイスは、前記スイッチの第1の端子に接続される。前記SIMモジュールは、前記スイッチの第2の端子に接続される。前記メモリカードモジュールは、前記スイッチの第3の端子に接続される。前記検出回路は、当該端末デバイスの中に配置されているカードがSIMカードであるか又はメモリカードであるということを検出するように構成される。前記制御回路は、前記検出回路の検出結果に基づいて、前記スイッチの前記第2の端子に接続するように前記スイッチの前記第1の端子を制御するか、又は、前記スイッチの前記第3の端子に接続するように前記スイッチの前記第1の端子を制御する。この出願のこの実施形態においては、端末デバイスのカードソケットは、SIMカード又はメモリカードのうちのいずれかを配置するように構成されてもよく、それにより、端末デバイスの空間利用を改善することが可能である。特に、複数のカードをサポートするそれらの端末デバイスの場合には、カードインターフェイスの空間利用を改善することが可能であり、それにより、ユーザの体験を改善することが可能である。
【０００６】
ある1つの可能な実装において、前記SIMカードの外形及び大きさは、前記メモリカードの外形及び大きさと同じである。この出願のこの実施形態においては、SIM及びメモリカードは、スイッチを介して端末デバイスのインターフェイスリソースを共有することが可能であり、端末デバイスのリソースの利用を改善する。
【０００７】
他の可能な実装において、SIMは、(第4の形状因子集積回路基板と称される)ナノSIMであってもよい。このことに基づいて、SIMモジュールは、少なくとも、SIMデータインターフェイス、SIMリセットインターフェイス、及びSIMクロックインターフェイスを含む。メモリカードモジュールは、少なくとも、第1のメモリカードデータインターフェイス、第2のメモリカードデータインターフェイス、及びメモリカードクロックインターフェイスを含む。SIMデータインターフェイスは、第1のスイッチの第2の端子に接続され、第1のメモリカードデータインターフェイスは、第1のスイッチの第3の端子に接続される。SIMリセットインターフェイスは、第2のスイッチの第2の端子に接続され、第2のメモリカードデータインターフェイスは、第2のスイッチの第3の端子に接続される。SIMクロックインターフェイスは、第3のスイッチの第2の端子に接続され、メモリカードクロックインターフェイスは、第3のスイッチの第3の端子に接続される。第1のスイッチの第1の端子は、第1のインターフェイスの第1の端子に接続され、第2のスイッチの第1の端子は、第1のインターフェイスの第2の端子に接続され、第3のスイッチの第1の端子は、第3のスイッチの第3の端子に接続される。
【０００８】
他の可能な実装において、前記検出回路が、当該端末デバイスの中に配置されているカードがSIMカードであるか又はメモリカードであるということを検出するように構成されることは、
当該端末デバイスの中に配置されているカードが存在するときは、前記制御回路が、前記カードに第1のコマンドを送信し、そして、前記検出回路が、前記第1のコマンドに対する前記カードからの応答に基づいて、前記カードが前記メモリカードであるか又は前記SIMカードであるということを検出することを含む。
【０００９】
他の可能な実装において、上記の端末デバイスは、電源をさらに含み、当該端末デバイスの中に配置されているカードが存在するときに、前記電源の電圧は、第1の電圧に設定され、
前記検出回路が、前記カードが前記メモリカードであるか又は前記SIMカードであるということを検出するときに、前記電源の前記電圧は、前記メモリカード又は前記SIMカードに対応する電圧に設定される。
【００１０】
第2の態様によれば、この出願は、SIMカードを提供する。SIMカードの外形及び大きさは、メモリカードと同じであり、SIMカードの電力インターフェイスの位置は、メモリカードの電力インターフェイスの位置に対応し、SIMカードの接地インターフェイスの位置は、メモリカードの接地インターフェイスの位置に対応する。この出願のこの実施形態によって提供されるSIMカードは、SIMカードと同じ外形及び大きさを有するメモリカードとの間で、端末デバイスのカードソケットを共有してもよく、それにより、端末デバイスのリソースの利用を改善することが可能である。
【００１１】
ある1つの可能な実装において、ある1つの可能な実装において、メモリカードは、マイクロセキュアディジタルメモリ(micro  secure  digital  memory,  Micro  SD)カードである。SIMモジュールは、少なくとも、SIMデータインターフェイス、SIMリセットインターフェイス、及びSIMクロックインターフェイスを含む。メモリカードモジュールは、少なくとも、第1のメモリカードデータインターフェイス、第2のメモリカードデータインターフェイス、及びメモリカードクロックインターフェイスを含む。SIMデータインターフェイスの位置は、第1のメモリカードデータインターフェイスの位置に対応し、SIMリセットインターフェイスの位置は、第2のメモリカードデータインターフェイスの位置に対応し、SIMクロックインターフェイスの位置は、メモリカードクロックインターフェイスの位置に対応する。
【００１２】
第3の態様によれば、この出願は、メモリカードを提供する。当該メモリカードの外形及び大きさは、SIMカードの外形及び大きさと同じであり、前記SIMカードの電力インターフェイスの位置は、当該メモリカードの電力インターフェイスの位置に対応し、前記SIMカードの接地インターフェイスの位置は、当該メモリカードの接地インターフェイスの位置に対応する。この出願のこの実施形態によって提供されるメモリカードは、そのメモリカードと同じ外形及び大きさを有するSIMカードとの間で、端末デバイスのカードソケットを共有してもよく、それにより、端末デバイスのリソースの利用を改善することが可能である。
【００１３】
ある1つの選択的な実装において、上記のSIMカードは、ナノSIMカードである。前記SIMモジュールは、少なくとも、SIMデータインターフェイス、SIMリセットインターフェイス、及びSIMクロックインターフェイスを含む。前記メモリカードモジュールは、少なくとも、第1のメモリカードデータインターフェイス、第2のメモリカードデータインターフェイス、及びメモリカードクロックインターフェイスを含む。前記SIMデータインターフェイスの位置は、前記第1のメモリカードデータインターフェイスの位置に対応し、前記SIMリセットインターフェイスの位置は、前記第2のメモリカードデータインターフェイスの位置に対応し、前記SIMクロックインターフェイスの位置は、前記メモリカードクロックインターフェイスの位置に対応する。
【００１４】
第4の態様によれば、この出願は、第1の標準のメモリカードソケットに対応するハウジング部分を含むメモリカードアダプタを提供する。前記ハウジング部分は、カードソケットであって、前記カードソケットは、第2の標準のメモリカードを配置するように構成され、前記第2の標準の前記メモリカードの外形及び大きさは、ナノSIMカードの外形及び大きさと同じであり、前記第2の標準の前記メモリカードの少なくとも1つのインターフェイスの位置は、前記ナノSIMカードのインターフェイスの位置に対応する、カードソケットと、変換器回路であって、前記変換器回路は、第1の標準のメモリカードのインターフェイスへと、前記第2の標準の前記メモリカードのインターフェイスを変換するように構成される、変換器回路と、を含む。メモリカードアダプタは、外形、大きさ、及び複数のインターフェイス位置がナノSIMカードの外形、大きさ、及び複数のインターフェイス位置に対応するメモリカードを他の標準のメモリカードへと変換することが可能である。
【００１５】
ある1つの選択的な実装において、前記第1の標準の前記メモリカードの動作レベルは、前記第2の標準の前記メモリカードの動作レベルとは異なり、前記変換器回路は、レベル変換器回路及びトランス回路を含み、前記レベル変換器回路は、通信の際に、前記第1の標準の前記メモリカードの前記インターフェイスの動作レベルと前記第2の標準の前記インターフェイスの動作レベルとの間で変換を実行するように構成され、前記トランス回路は、前記レベル変換器回路に電力を供給するように構成される。
【００１６】
ある1つの選択的な実装において、前記第1の標準の前記メモリカードは、複数の動作レベルを含み、前記メモリカードアダプタは、スイッチをさらに含み、前記スイッチは、当該メモリカードアダプタの前記動作レベルを制御するように構成される。
【００１７】
ある1つの選択的な実装において、前記スイッチは、前記ハウジング部分の中の前記変換器回路と前記第1の標準のメモリカードインターフェイスとの間に配置される。
【００１８】
第5の態様によれば、この出願は、カード認識方法を提供する。初期化モードは、複数の通信プロトコルのためにあらかじめ構成され、当該方法は、IO動作レベル及び電源電圧の小さい順に、複数の通信プロトコルのためにあらかじめ構成されている前記初期化モードを使用して、カードを初期化するステップと、第1の通信プロトコルのためにあらかじめ構成されている初期化モードを使用して、カードの初期化に成功している場合に、前記第1の通信プロトコルに基づいて、前記カードを制御するステップと、を含む。この出願のこの実施形態においては、初期化プロセスを横断的に実行することによって、カードソケットの中に配置されているカードのタイプを認識することが可能である。
【００１９】
ある1つの選択的な実装において、複数の通信プロトコルは、双方ともに1.8[V]である電源電圧及びIO動作レベルを有するSIM通信プロトコル、1.8[V]のIO動作レベル及び3[V]の電源電圧を有するメモリカード通信プロトコル、双方ともに3[V]である電源電圧及びIO動作レベルを有するメモリカード通信プロトコル、及び、双方ともに3[V]である電源電圧及びIO動作レベルを有するSIM通信プロトコル、のうちの1つ又は複数を含む。
【００２０】
第6の態様によれば、この出願は、カード認識方法を提供する。当該方法は、端末デバイスに適用可能である。前記端末デバイスは、カードソケットを含み、前記カードソケットは、複数の端子を含む。当該方法は、前記カードソケットのインターフェイスの複数の端子のうちの少なくとも1つの第1の動作状態を検出するステップであって、前記インターフェイスの前記複数の端子のうちの前記少なくとも1つの動作状態は、通信プロトコルと対応している、ステップと、前記第1の動作状態に対応する通信プロトコルに基づいて、カードを制御するステップと、を含む。この出願のこの実施形態においては、カードソケットのインターフェイスの動作状態を検出して、複数の異なるタイプのカードについて、複数の端子の複数の動作状態の間の差に基づいて、カードソケットの中に配置されている外部カードのタイプを認識する。
【００２１】
ある1つの選択的な実装において、前記複数の端子は、メモリカードのみに接続するように構成される少なくとも1つの端子を含む。
【００２２】
他の選択的な実装において、前記インターフェイスの前記複数の端子のうちの前記少なくとも1つの動作状態と通信プロトコルとの間の対応関係は、通信状態にあるときに、メモリカードのみに接続するように構成される端子が、メモリカード通信プロトコルに対応していること、及び、
短絡状態にあるときに、メモリカードのみに接続するように構成される前記端子が、SIM通信プロトコルに対応していること、を含む。
【００２３】
他の選択的な実装において、前記メモリカード通信プロトコルは、マイクロSDカード通信プロトコルを含み、前記SIM通信プロトコルは、ナノSIM通信プロトコルを含む。
【００２４】
第7の態様によれば、この出願は、カード認識方法を提供する。その方法は、端末デバイスに適用可能であり、当該方法は、
第1の電圧を使用して、カードにコマンドを送信し、そして、前記カードが送信する応答を受信する場合に、メモリカードとして前記カードを初期化するステップを含む。
【００２５】
ある1つの選択的な実装において、メモリカードとして前記カードを初期化する前記ステップは、第1のレベル標準のメモリカードとして前記カードを初期化するステップを含む。当該方法は、第1のレベル標準のメモリカードとしての前記カードの初期化に成功していない場合に、SIMカードとして前記カードを初期化するステップをさらに含む。
【００２６】
ある1つの選択的な実装において、当該方法は、カードが送信する応答を受信しない場合に、SIMとして前記カードを初期化するステップをさらに含む。
【００２７】
ある1つの選択的な実装において、当該方法は、SIMとしての前記カードの初期化に成功していない場合に、第2のレベル標準のメモリカードとして前記カードを初期化するステップをさらに含む。
【００２８】
第8の態様によれば、この出願は、端末デバイスを提供する。当該端末デバイスは、IOサブシステム、プロセッサ、及びメモリを含み、前記メモリは、プログラムを格納するように構成され、前記IOサブシステムは、カードと対話するように構成され、前記プロセッサは、前記メモリの中に格納されている前記プログラムを実行して、第5の態様、第6の態様、及び第7の態様のうちの1つ又は複数の態様にしたがった方法を実行するように当該端末デバイスを制御する、ように構成される。
【００２９】
第9の態様によれば、この出願は、コンピュータ読み取り可能な記憶媒体を提供し、当該コンピュータ読み取り可能な記憶媒体は、コンピュータプログラムを格納している。コンピュータプログラムがプロセッサによって実行されるときに、第5の態様、第6の態様、及び第7の態様のうちのいずれか1つ又は複数の態様にしたがった方法を実装する。
【００３０】
第10の態様によれば、この出願は、命令を含むコンピュータプログラム製品を提供する。命令がコンピュータによって実行されるときに、コンピュータが、第5の態様、第6の態様、及び第7の態様のうちのいずれか1つ又は複数の態様にしたがった方法を実行することを可能とする。
【００３１】
第11の態様によれば、この出願は、プロセッサ及びメモリを含むチップを提供し、前記メモリは、プログラムを格納するように構成され、前記プロセッサは、前記メモリの中に格納されているプログラムを実行して、第5の態様、第6の態様、及び第7の態様のうちのいずれかの1つ又は複数の態様にしたがった方法を実行するように構成される。
【図面の簡単な説明】
【００３２】
【図１】本発明のある1つの実施形態にしたがった端末デバイスの概略的な構成図である。
【図２】本発明のある1つの実施形態にしたがった他の端末デバイスの概略的な構成図である。
【図３】本発明のある1つの実施形態にしたがったSIMカードの概略的な構成図である。
【図４】本発明のある1つの実施形態にしたがったメモリカードの概略的な構成図である。
【図５】本発明のある1つの実施形態にしたがった他のメモリカードの概略的な構成図である。
【図６】本発明のある1つの実施形態にしたがったメモリカードアダプタの概略的な構成図である。
【図７】本発明のある1つの実施形態にしたがった他のメモリカードアダプタの概略的な構成図である。
【図８】本発明のある1つの実施形態にしたがったメモリカードアダプタの概略的な構成図である。
【図９】この出願のある1つの実施形態にしたがったカード認識方法の概略的なフローチャートである。
【図１０】この出願のある1つの実施形態にしたがった他のカード認識方法の概略的なフローチャートである。
【図１１】この出願のある1つの実施形態にしたがった他のカード認識方法の概略的なフローチャートである。
【図１２】この出願のある1つの実施形態にしたがった他のカード認識方法の概略的なフローチャートである。
【図１３】この出願のある1つの実施形態にしたがった他のメモリカードインターフェイスの概略的な図である。
【図１４】本発明のある1つの実施形態にしたがった端末デバイスの概略的な構成図である。
【発明を実施するための形態】
【００３３】
この出願の複数の技術的解決方法は、以下のように、複数の添付の図面及び複数の実施形態を参照して詳細に説明される。
【００３４】
この出願のそれらの複数の実施態様において、"第1の"、"第2の"、及び"第3の"等の語は、本明細書において、さまざまな要素、構成要素、領域、層、及び/又は部分を説明するのに使用されてもよいが、これらの要素、構成要素、領域、層、及び/又は部分は、これらの語によっては限定されない。これらの語は、他の領域、層、又は部分から、ある1つの要素、構成要素、領域、層、又は部分を判別するのに使用されるにすぎない。したがって、以下で議論される第1の要素、構成要素、領域、層、又は部分は、本発明の発明概念の教示を離れることなく、第2の要素、構成要素、領域、層、又は部分と称されてもよい。
【００３５】
分析によれば、端末デバイスの多くは、2つ又はさらに多くのSIMを使用して構成されているが、市場においては、人々の多くは、1つのSIMのみを使用し、残りのカードソケットは基本的に空きのままとなっており、一方で、ユーザが、外部メモリカードを使用して、端末デバイスの記憶装置を拡張し又はデータを移動することについて、大きな需要があるということがわかる。このことに基づいて、この出願のそれらの複数の実施形態によって提供される解決方法において、端末デバイスの中の1つ又は複数のカードソケットは、SIMカード及びメモリカードの双方をサポートするように設計されてもよく、それにより、端末デバイスの中のカードソケットを効率的に利用し、そして、端末デバイスの空間利用を改善する。
【００３６】
図1は、この出願のある1つの実施形態にしたがった端末デバイスの概略的な構成図である。図1に示されているように、端末デバイス100は、特に、カードソケット110、SIMモジュール130、メモリカードモジュール120、n個のスイッチ140、検出回路150、及び制御回路160を含んでもよく、nは、正の整数である。
【００３７】
カードソケット110は、SIMカード及びメモリカードを配置するように構成される。端末デバイス100は、2つ又はそれ以上のカードを収容するように構成されてもよく、カードは、SIMカード又はメモリカードであってもよい。特に、このことは、複数の方式によって実装されてもよい。例えば、端末デバイス100は、2つ又はそれ以上のカードソケットを備えてもよく、それらの2つ又はそれ以上のカードソケットのインターフェイスは、部分的に又は完全に、図1に示されているカードソケット110のインターフェイス構成として構成されてもよく、各々のカードソケット110は、1つのSIMカード又は1つのメモリカードを配置するように構成されてもよい。他の例として、端末デバイス100のカードソケット110は、2つ又はそれ以上のインターフェイスを含んでもよく、2つ又はそれ以上のインターフェイスは、部分的に又は完全に、図1に示されているカードソケット110のインターフェイス構造として構成されてもよく、各々のインターフェイスは、1つのSIMカード又は1つのメモリカードを配置するように構成されてもよい。
【００３８】
カードソケット110は、第1のインターフェイスを含み、第1のインターフェイスは、スイッチを介してSIMカード又はメモリカードに接続される。例えば、スイッチは、双方向マルチプレクサスイッチであってもよい。
【００３９】
第1のインターフェイスは、スイッチの第1の端子に接続される。
【００４０】
SIMモジュールは、スイッチの第2の端子に接続される。
【００４１】
メモリカードモジュールは、スイッチの第3の端子に接続される。
【００４２】
検出回路150は、端末デバイスの中に配置されているカードがSIMカードであるか又はメモリカードであるということを検出するように構成される。
【００４３】
制御回路160は、検出回路の検出結果に基づいて、スイッチの第2の端子に接続するようにスイッチの第1の端子を制御するか、又は、スイッチの第3の端子に接続するようにスイッチの第1の端子を制御する。
【００４４】
図1を参照すると、カードソケット110の第1のインターフェイスは、例えば、図1に示されている第1の端子111、第2の端子112、第3の端子113、及び第4の端子114等の複数の端子を含む。カードソケット110は、第1のインターフェイスの複数の端子を介して、カードソケット110の中に配置されているSIMカード又はメモリカードのインターフェイスに接続され、それによって、端末デバイス100は、SIMカード又はメモリカードを制御する。
【００４５】
ある1つの例として第1のインターフェイスの第1の端子111を使用すると、第1の端子111は、双方向マルチプレクサスイッチの可動の端子141(すなわち、スイッチの第1の端子)に接続され、双方向マルチプレクサスイッチの不動の端子142(すなわち、スイッチの第3の端子)は、メモリカードモジュール120に接続され、双方向マルチプレクサスイッチの不動の端子143(すなわち、スイッチの第2の端子)は、SIMモジュールに接続される。
【００４６】
それらの複数の実施形態のうちのいくつかにおいて、カードソケット110の第1のインターフェイスは、SIMカード又はメモリカードに直接的に接続されている端子をさらに含む。例えば、SIMカードのVPPインターフェイスは、プログラミングインターフェイスであり、そのVPPインターフェイスは、SIMカードの使用の際に使用されないことがよくある。したがって、VPPインターフェイスに対応するカードソケットのインターフェイスは、SIMモジュールに接続されなくてもよく、VPPインターフェイスに対応するカードソケットのインターフェイスは、メモリカードに直接的に接続されてもよい。
【００４７】
それらの複数の実施形態のうちのいくつかにおいて、カードソケット110の第1のインターフェイスは、スイッチなしで共有される端子をさらに含む。例えば、SIMカード及びメモリカードの電源(volt  current  condenser,  VCC)の電力領域は、1.8[V]乃至3.3[V]である。したがって、SIMカード及びメモリカードは、電源VCC及び接地(ground,  GND)を共有してもよい。このことに基づいて、電源インターフェイス及び接地インターフェイスに対応するカードソケット110の第1のインターフェイスの端子は、電源VCC及び接地(ground,  GND)を共有することが可能である。
【００４８】
例えば、図2を参照すると、メモリカードは、データ(data,  DAT)3インターフェイス、コマンド(command,  CMD)インターフェイス、クロック(clock,  CLK)インターフェイス、DAT0インターフェイス、DAT1インターフェイス、DAT2インターフェイス、VCCインターフェイス、及びGNDインターフェイスの8つのインターフェイスを含んでもよい。具体的には、以下の表1において説明されている。
【表１】
2022502978.tif 000003
【００４９】
ナノSIMは、プログラミング電圧(programming  voltage,  VPP)インターフェイス、CLKインターフェイス、DAT、リセット(reset,  RST)インターフェイス、VCCインターフェイス、及びGNDインターフェイスの6つのインターフェイスを含んでもよい。具体的には、以下の表2において説明されている。
【表２】
2022502978.tif 000004
【００５０】
このことに基づいて、上記のSIMカードは、少なくとも、SIM  DATインターフェイス、SIMリセットインターフェイス、及びSIMクロックインターフェイスを含み、上記のメモリカードは、少なくとも、第1のメモリカードデータインターフェイス(例えば、DAT0)、第2のメモリカードデータインターフェイス(例えば、DAT1)、及びメモリカードクロックインターフェイスを含む。1つの双方向マルチプレクサスイッチに接続されるインターフェイスのタイプは、可能な限り同じにされてもよい。例えば、SIM  DAT及び第1のメモリカードデータインターフェイス(例えば、DAT0)は、1つの双方向マルチプレクサスイッチに接続され、SIMリセットインターフェイス及び第2のメモリカードデータインターフェイス(例えば、DAT1)は、1つの双方向マルチプレクサスイッチに接続され、SIMクロックインターフェイス及びメモリカードのクロックインターフェイスは、1つの双方向マルチプレクサスイッチに接続される。このようにして、1つのスイッチを使用して同じデータタイプのインターフェイスを制御することが可能であり、故障の可能性を減少させることが可能である。SIMカード及びメモリカードは、電力インターフェイス及び接地インターフェイスをさらに含んでもよい。メモリカードは、CMDインターフェイス(インターフェイスの位置は、SIMカードのVPPインターフェイスと同じ)、第3のメモリカードデータインターフェイス(例えば、DAT2)、及び第4のメモリカードデータインターフェイス(例えば、DAT3)をさらに含んでもよい。SIMカードは、VPPインターフェイスをさらに含んでもよい。このことに基づいて、図2に示されているように、端末デバイス200のカードソケット210のインターフェイスは、少なくとも、
メモリカードモジュール220のDAT2インターフェイスに直接的に接続されるSD-DAT2インターフェイス端子、
メモリカードモジュール220のDAT3インターフェイスに直接的に接続されるSD-DAT3インターフェイス端子、
メモリカードモジュール220のCMDインターフェイスに直接的に接続されるVPF及びSD-CMDインターフェイス端子、
1つの双方向マルチプレクサスイッチを介して、SIMモジュールのリセットインターフェイス及びストレージコントローラのDAT0インターフェイスに接続されるSIMリセット及びSD-DAT0インターフェイス端子、
1つの双方向マルチプレクサスイッチを介して、SIMモジュールのクロックインターフェイス及びストレージコントローラのクロックインターフェイスに接続されるSIMクロック及びSDクロックインターフェイス端子、
IOサブシステムの電源に接続されるVCCインターフェイス端子、及び、
IOサブシステムのグラウンドに接続されるGNDインターフェイス端子、の複数の端子を含んでもよい。
【００５１】
それらの複数の実施形態のうちのいくつかにおいて、検出回路が、端末デバイスの中に配置されているカードが、SIMカードであるか又はメモリカードであるということを検出するように構成されることは、特に、端末デバイスの中に配置されているカードが存在するときに、制御回路が、カードに第1のコマンドを送信し、そして、検出回路が、第1のコマンドに対するカードの応答に基づいて、カードがメモリカードであるか又はSIMカードであるということを検出することを含む。例えば、SIMカード及びメモリカードのインターフェイスの数は異なっている。カードソケット110の第1のインターフェイスは、例えば、図2に示されているSD-DAT2インターフェイス端子又はSD-DAT3インターフェイス端末等のSIMカード又はメモリカードのインターフェイスのみに対応する端子を含んでもよい。これに基づいて、端末デバイスの検出回路150は、SIMカード又はメモリカードのインターフェイスのみに対応するカードソケット110の第1のインターフェイスが含む端子のうちのいずれか1つ又は複数の端子の動作状態を検出するように構成される。メモリカード及びSIMカードは、同じ外形及び大きさを有する一方で、異なる数のインターフェイスを有する。複数の異なるカードがカードソケットに挿入された後に、それらのカードのタイプは、カードソケットの複数の異なる端子が短絡されているか否かに基づいて、検出回路150によって認識される。例えば、図2を参照すると、検出回路250は、SD-DAT2インターフェイスのレベルを検出し、そして、SD-DAT2インターフェイスの検出されたレベルに基づいて、挿入されているカードがメモリカードであるか又はSIMカードであるということを決定する、ように構成されてもよい。加えて、代替的に、検出回路150は、カードソケット110の第1のインターフェイスの他の端子の動作状態又はカードソケット110の第1のインターフェイスの端子のすべての動作状態を検出して、端末デバイスの中に配置されているカードがSIMカードであるか又はメモリカードであるということを検出してもよい。具体的な情報については、図9乃至図12に示されている複数の実施形態を参照すべきである。本明細書においては、詳細は説明されない。
【００５２】
それらの複数の実施形態のうちのいくつかにおいて、SIMカード及びメモリカードは、同じカードソケット110の1つのインターフェイスに配置されてもよい。例えば、SIMカード及びメモリカードは、複数のインターフェイスのうちのいくつかの位置が対応するように、同じ外形及び大きさを使用して設計されてもよい。その外形は、SIMカードの外形によって標準化されてもよい。例えば、SIMカード及びメモリカードは、ナノSIM標準に準拠して構成されている。代替的に、その外形は、メモリカードの外形によって標準化されてもよい。例えば、SIMカード及びメモリカードは、マイクロSDカード標準に準拠して構成される。代替的に、専用化されている標準を決定してもよく、SIM及びメモリは、この専用化されている標準に準拠して構成される。SIMカード及びメモリカードの特定の構成については、図3、図4、及び図5に示されている複数の実施形態の説明を参照すべきである。本明細書においては、詳細は説明されない。
【００５３】
それらの複数の実施形態のうちのいくつかにおいて、端末デバイスは、電源をさらに含む。端末デバイスの中に配置されているカードが存在するときに、電源の電圧は、第1の電圧に設定され、検出回路が、カードがメモリカードであるか又はSIMカードであるということを検出するときに、電源の電圧は、メモリカード又はSIMカードに対応している電圧に設定される。特定の情報については、図11又は図12に示されている実施形態を参照すべきである。本明細書においては、詳細は説明されない。
【００５４】
図3は、さらに、この出願のある1つの実施形態にしたがったSIMカードの概略的な構成図である。図3を参照すると、そのSIMカードは、図1又は図2に示されているカードソケットの中に配置されるように構成される。図3に示されているように、SIMカード310の外形及び大きさは、メモリカード320の外形及び大きさと同じであり、SIMカードの(例えば、インターフェイス311、インターフェイス312、インターフェイス313、インターフェイス314、インターフェイス315、及びインターフェイス316等の)n個の第1のインターフェイスの位置は、メモリカードの(例えば、インターフェイス323、インターフェイス324、インターフェイス325、インターフェイス326、インターフェイス328、及びインターフェイス329等の)n個の第2のインターフェイスの位置に対応し、第1のインターフェイスは、SIMカードの電力インターフェイス及び接地インターフェイスを含み、第2のインターフェイスは、メモリカードの電力インターフェイス及び接地インターフェイスを含み、nは、正の整数である。
【００５５】
ある1つの例として、メモリカードがマイクロSDカードであるということを使用すると、SIMカード310の外形及び大きさは、マイクロSDカード320の外形及び大きさと同じであってもよい。このことに基づいて、上記のSIMモジュールは、少なくとも、SIMデータインターフェイス、SIMリセットインターフェイス、及びSIMクロックインターフェイスを含み、メモリカードモジュールは、少なくとも、第1のメモリカードデータインターフェイス、第2のメモリカードデータインターフェイス、及びメモリカードクロックインターフェイスを含み、SIMデータインターフェイスの位置は、第1のメモリカードデータインターフェイスの位置に対応し、SIMリセットインターフェイスの位置は、第2のメモリカードデータインターフェイスの位置に対応し、SIMクロックインターフェイスの位置は、メモリカードクロックインターフェイスの位置に対応する。例えば、図3を参照すると、マイクロSDカード320のインターフェイスは、DAT3インターフェイス321、CMDインターフェイス322、接地インターフェイス323、電力インターフェイス324、CLKインターフェイス325、接地インターフェイス326、DAT0インターフェイス327、DAT1インターフェイス328、及びDAT2インターフェイス329を含む。SIMカード310の対応するインターフェイスは、CMDインターフェイス322に対応するVPPインターフェイス311、接地インターフェイス323に対応する接地インターフェイス312、電力インターフェイス324に対応する電力インターフェイス313、CLKインターフェイス325に対応するCLKインターフェイス314、DAT0インターフェイス327に対応するリセットインターフェイス315、及びDAT1インターフェイス328に対応するDATインターフェイス316を含む。
【００５６】
図4は、さらに、この出願のある1つの実施形態にしたがったメモリカードの概略的な構成図である。図4を参照すると、メモリカードは、図1又は図2に示されているカードソケットの中に配置されるように構成される。図4に示されているように、メモリカードの外形及び大きさは、SIMの外形及び大きさと同じであり、SIMカードの(例えば、インターフェイス421、インターフェイス422、インターフェイス423、インターフェイス424、インターフェイス425、及びインターフェイス426等の)n個の第1のインターフェイスの位置は、メモリカードの(例えば、インターフェイス412、インターフェイス413、インターフェイス414、インターフェイス416、インターフェイス417、及びインターフェイス418等の)n個の第2のインターフェイスの位置に対応し、第1のインターフェイスは、SIMカードの電力インターフェイス及び接地インターフェイスを含み、第2のインターフェイスは、メモリカードの電力インターフェイス及び接地インターフェイスを含み、nは、正の整数である。加えて、図4を参照すると、メモリカードは、(例えば、インターフェイス411及びインターフェイス415等の)m個の第3のインターフェイスをさらに含んでもよく、それらのm個の第3のインターフェイスと同じ位置を有するインターフェイスは、SIMカードには存在しない。
【００５７】
メモリカードの外形及び大きさは、ナノSIMカードの外形及び大きさと同じであってもよい。このことに基づいて、上記のSIMモジュールは、少なくとも、SIMデータインターフェイス、SIMリセットインターフェイス、及びSIMクロックインターフェイスを含み、メモリカードモジュールは、少なくとも、第1のメモリカードデータインターフェイス、第2のメモリカードデータインターフェイス、メモリカードクロックインターフェイスを含み、SIMデータインターフェイスの位置は、第1のメモリカードデータインターフェイスの位置に対応し、SIMリセットインターフェイスの位置は、第2のメモリカードデータインターフェイスの位置に対応し、SIMクロックインターフェイスの位置は、メモリカードクロックインターフェイスの位置に対応する。
【００５８】
例えば、図5を参照すると、メモリカード510のインターフェイスは、データインターフェイス、CMDインターフェイス、接地インターフェイス、電力インターフェイス、CLKインターフェイス、DAT0インターフェイス、DAT1インターフェイス、及びDAT2インターフェイスを含む。ナノSIMカード520の対応するインターフェイスは、メモリカード510のCMDインターフェイスに対応するVPPインターフェイス、メモリカード510の接地インターフェイスに対応する接地インターフェイス、メモリカード510の電力インターフェイスに対応する電力インターフェイス、メモリカード510のCLKインターフェイスに対応するCLKインターフェイス、メモリカード510のDAT0インターフェイスに対応するリセットインターフェイス、及びDAT1インターフェイスに対応するデータインターフェイスを含む。
【００５９】
図6は、この出願のある1つの実施形態にしたがったメモリカードアダプタの概略的な構成図である。図6に示されているように、当該メモリカードアダプタ600は、
第1の標準のメモリカードソケットに対応するハウジング部分610を含み、ハウジング部分610は、
カードソケット611であって、カードソケット611は、第2の標準のメモリカード620を配置するように構成され、第2の標準のメモリカードの外形及び大きさは、ナノSIMカードの外形及び大きさと同じであり、第2の標準のメモリカードの少なくとも1つのインターフェイスの位置は、ナノSIMカードのインターフェイスの位置に対応し、メモリカード620の特定の実装については、詳細を繰り返して説明することなく、図4及び図5に示されている複数の実施形態を参照することが可能である、カードソケット611と、
通信の際に、第1の標準のメモリカードのインターフェイスのための動作レベルと第2の標準のインターフェイスのための動作レベルとの間で変換を実行するように構成される、変換器回路612と、を含んでもよい。言い換えると、メモリカードアダプタは、変換回路612を使用することによって、第1の標準のメモリカードのインターフェイスへと、第2の標準のメモリカード620のインターフェイスを変換することが可能である。
【００６０】
第1の標準は、3[V]の動作レベルを有するSDカードのための標準であり、第2の標準は、1.8[V]の動作レベルを有するナノSIMカードと同じ形状を有するメモリカードのための標準であるある1つの例を使用する。単純なカードソケット及び変換器回路を使用することによって、1.8[V]の動作レベルを有するナノSIMカードと同じ形状を有するメモリカードを3[V]の動作レベルを有するSDカードへと変換することが可能である。ナノSIMカードと同じ形状を有するメモリカードは、9[mm]×12[mm]の大きさであり、SDカードは、24[mm]×32[mm]の大きさである。したがって、あるSDカードに対応するハウジングの中に配置されているナノSDカードを使用すると、残りの空間は、1.8[V]から3[V]への変換器回路を実装するのに十分である。このことに基づいて、この出願のこの実施形態のある1つの例では、第1の標準のメモリカードは、第2の標準のメモリカードとは異なる動作レベルを有する。この場合には、変換器回路は、通信の際に、第1の標準のメモリカードのインターフェイスのため動作レベルと第2の標準のインターフェイスのため動作レベルとの間で変換を実行する必要がある。図7に示されているように、変換器回路710は、レベル変換器回路712及びトランス回路711を含み、レベル変換器回路712は、第1の標準のメモリカードのインターフェイスのための動作レベルと第2の標準のメモリカードのインターフェイスのための動作レベルとの間で変換を実行するように構成され、トランス回路711は、レベル変換器回路に電力を供給するように構成される。
【００６１】
加えて、SDカードは、複数の動作レベルバージョンで利用可能である。あるアダプタをそれらの複数のバージョンと互換性があるようにするために、機械的なスイッチを使用して、メモリカードアダプタの動作レベルを制御することが可能である。このことに基づいて、この出願のある1つの実施形態において、第1の標準のメモリカードは、複数の動作レベルを含み、メモリカードアダプタは、スイッチをさらに含み、そのスイッチは、メモリカードアダプタの動作レベルを制御するように構成される。例えば、図8に示されているように、スイッチ810は、ハウジング部分の中で変換器回路と第1の標準のメモリカードインターフェイスとの間に配置されてもよい。このようにして、スイッチ810は、第1の標準のメモリカードのインターフェイスの動作レベルに近づくように変換器回路を制御することが可能である。例えば、スイッチは、1.8[V]のギア及び3[V]のギアを使用して設定されてもよい。3[V]の動作レベルを有するSDカードの場合には、3[V]のギアにシフトして電力を供給するようにスイッチを制御してもよく、変換器回路に供給される電源の電圧は、3[V]となる。1.8[V]の動作レベルを有するSDカードの場合には、1.8[V]ギアにシフトして電力を供給するようにスイッチを制御してもよく、変換器回路に供給される電源の電圧は、1.8[V]となる。この解決方法においては、スイッチの位置が実際の動作レベルと一致しないときに、低電圧で電源を投入しても、第2の標準のメモリカードインターフェイス又は第1の標準のメモリカードインターフェイスに損傷を引き起こすことはない。
【００６２】
図9は、この出願のある1つの実施形態にしたがったカード認識方法の概略的なフローチャートである。図9に示されているように、初期化モードは、複数の通信プロトコルのためにあらかじめ構成されている。その方法は、端末デバイスの中に配置されているカードが存在するときに、制御回路は、カードに第1のコマンドを送信し、そして、検出回路は、第1のコマンドに対するカードの応答に基づいて、そのカードがメモリカードであるか又はSIMカードであるということを検出するという特定の実装であってもよい。特に、その方法は、以下のステップを含む。
【００６３】
S910.  IO動作レベル及び電源電圧の小さい順に、複数の通信プロトコルのためにあらかじめ構成されている初期化モードを使用して、カードを初期化する。第1のコマンドは、初期化コマンドであってもよい。
【００６４】
この出願における複数の通信プロトコルは、
双方ともに1.8[V]である電源電圧及びIO動作レベルを有するSIM通信プロトコル、1.8[V]のIO動作レベル及び3[V]の電源電圧を有するメモリカード通信プロトコル、双方ともに3[V]である電源電圧及びIO動作レベルを有するメモリカード通信プロトコル、及び、双方ともに3[V]である電源電圧及びIO動作レベルを有するSIM通信プロトコル、のうちの1つ又は複数を含む。
【００６５】
例えば、標準SIM、SD、及びEMMCのIO動作レベル及び電源の電圧は、以下で表3において説明されている。
【表３】
2022502978.tif 000005
【００６６】
加えて、SDカード又はEMMCカードは、100[kHz]乃至400[kHz]のCLK周波数によって、SPIモードを使用して初期化され、SIMカードの通信速度は、1[MHz]乃至5[MHz]である。そのほかに、複数の異なるインターフェイスを使用するため、それらの複数の異なるインターフェイスは、他のインターフェイスの初期化には応答しない。したがって、横断的な初期化プロセスにより、SIMカード又はメモリカードとして、さらに、特定のプロトコルのメモリカードとして、カードを認識することが可能である。メモリカードの初期化の前にSIMの初期化を実行するか、又は、メモリカードの初期化の後にSIMの初期化を実行するかは、実際の必要性に基づいて決定される。さまざまなカードの認識及びさまざまなカードのための電源の基本的な原理は、カードが焼損する危険性を生じないように、第1のレベル又は電圧仕様のカードが、より高いレベルの電圧を有することを許可しないということである。したがって、IO動作レベル及び電源電圧の小さい順に実行される初期化は、カード焼損の確率を減少させることが可能である。
【００６７】
この出願のこの実施形態においては、メモリカードは、SDプロトコル又はEMMCプロトコルの使用には限定されない。USB、UFS、又はPCIE等の他の通信プロトコルのメモリカードも、また、適切である。
【００６８】
S920.  第1の通信プロトコルのためにあらかじめ構成されている初期化モードを使用してカードの初期化に成功しているときに、第1の通信プロトコルに基づいて、カードを制御する。
【００６９】
例えば、図10を参照すると、あらかじめ構成されている通信プロトコルのための初期化モードは、(1.8[V]のIO動作レベル及び1.8[V]の電源電圧の)1.8[V]のSIM初期化、(1.8[V]のIO動作レベル及び3[V]の電源電圧の)eMMCカード初期化、(3[V]のIO動作レベル及び3[V]の電源電圧の)SDカード初期化、及び(3[V]のIO動作レベル及び3[V]の電源電圧の)3[V]のSIM初期化を含む。特に、その方法は、以下のステップを含む。
【００７０】
S1001.  1.8[V]のSIMの初期化プロセスを実行し、その1.8[V]のSIMの初期化プロセスに成功している場合には、その初期化を終了し、そして、1.8[V]のSIMカードとしてそのカードを制御する。
【００７１】
S1002.  S1001に続き、1.8[V]のSIMの初期化に成功していない場合に、eMMCカードの初期化プロセスを実行し、eMMCカードの初期化プロセスに成功している場合には、その初期化を終了し、eMMCカードとしてそのカードを制御する。
【００７２】
S1003.  S1002に続き、eMMCカードの初期化に成功していない場合に、SDカードの初期化プロセスを実行し、SDカードの初期化プロセスに成功している場合には、その初期化を終了し、SDカードとしてそのカードを制御する。
【００７３】
S1004.  S1003に続き、eMMCカードの初期化に成功していない場合に、3[V]のSIM初期化プロセスを実行し、3[V]のSIM初期化プロセスに成功している場合には、その初期化を終了し、3[V]のSIMカードとしてそのカードを制御する。
【００７４】
図11は、この出願のある1つの実施形態にしたがった他のカード認識方法の概略的なフローチャートである。図11に示されているように、その方法は、端末デバイスに適用可能である。その端末デバイスは、カードソケットを含み、カードソケットは、インターフェイスを含み、インターフェイスは、複数の端子を含む。例えば、端末デバイスは、図1又は図2に示されている端末デバイスであってもよい。その方法は、端末デバイスの中に配置されているカードが存在しているときに、制御回路は、カードに第1のコマンドを送信し、そして、検出回路は、第1のコマンドに対するカードの応答に基づいて、そのカードがメモリカードであるか又はSIMカードであるということを検出するという特定の実装であってもよい。特に、その方法は、以下のステップを含む。
【００７５】
S1110.  カードソケットのインターフェイスの複数の端子のうちの少なくとも1つの第1の動作状態を検出し、インターフェイスの複数の端子のうちの少なくとも1つの動作状態は、通信プロトコルと対応している。第1のコマンドは、カードソケットのインターフェイスのそれらの複数の端子の動作状態を検出するためのコマンドであってもよい。
【００７６】
この出願のこの実施形態は、同じ外形及び同じ大きさを有するが、異なる数のインターフェイスを有する複数のカードのすべてに適用可能である。カードソケットの中に複数の異なるカードを挿入した後に、カードソケットの複数の異なる端子が短絡されているか否かに基づいて、カードのタイプを認識する。
【００７７】
例えば、図1又は図2に示されている端末デバイスを参照すると、端末デバイスのインターフェイスの複数の端子は、メモリカードのインターフェイスのみに接続するように構成される少なくとも1つの端子を含む。したがって、少なくとも1つの端子の動作状態に基づいて、カードのタイプを決定することが可能である。
【００７８】
特に、インターフェイスの複数の端子のうちの少なくとも1つの動作状態は、通信プロトコルとの間で対応関係にあり、その対応関係は、
通信状態にあるときに、メモリカードのみに接続するように構成される端子が、メモリカード通信プロトコルに対応しているということ、及び、
短絡状態にあるときに、メモリカードのみに接続するように構成される端子が、SIM通信プロトコルに対応しているということ、を含む。
【００７９】
メモリカード通信プロトコルは、マイクロSDカード通信プロトコルを含み、SIM通信プロトコルは、ナノSIM通信プロトコルを含む。
【００８０】
S1120.  第1の動作状態に対応する通信プロトコルに基づいて、カードを制御する。
【００８１】
図12は、この出願のある1つの実施形態にしたがった他のカード認識方法の概略的なフローチャートである。図12に示されているように、その方法は、例えば、図1又は図2に示されている端末デバイス等の端末デバイスに適用可能である。その方法は、端末デバイスの中に配置されているカードが存在しているときに、制御回路は、カードに第1のコマンドを送信し、そして、検出回路は、第1のコマンドに対するカードの応答に基づいて、そのカードがメモリカードであるか又はSIMカードであるということを検出するという特定の実装であってもよい。特に、その方法は、以下のステップを含む。
【００８２】
S1210.  第1の電圧を使用してカードにコマンドを送信する。
【００８３】
本明細書においては、第2の電圧及び第1の電圧は、相対的な概念である。一般的に、カードの場合には、第2の電圧は、通常、3[V]であり、第1の電圧は、通常、1.8[V]である。
【００８４】
図13を参照すると、メモリカードは、コントローラ及びフラッシュメモリの2つの部分を含み、フラッシュメモリのみが、1.8[V]よりも大きな電力電圧で動作する必要があり、コントローラは、1.8[V]と同程度の低い電力電圧で動作することが可能である。したがって、1.8[V]の電源電圧のみを電力インターフェイスに供給するときに、メモリカードにコマンドを送信してもよく、メモリカードは、そのコマンドを処理して、応答を返送することが可能である。
【００８５】
したがって、第1の電圧をカードの電力インターフェイス及びIOインターフェイスに供給してもよく、カードにコマンドを送信してもよい。
【００８６】
カードが送信する応答を受信しない場合には、S1230を実行する。
【００８７】
S1220.  カードが送信する応答を受信する場合に、メモリカードとしてカードを初期化する。
【００８８】
メモリカードの動作レベルは、第2のレベル及び第1のレベルを含み、第1のレベルは、第2のレベルよりも低い。したがって、カードは、最初に、第1のレベル標準のメモリカードとして初期化されてもよい。例えば、第1のレベル標準のメモリカードは、EMMCカードであってもよく、第2のレベル標準のメモリカードは、SDカードであってもよい。このことに基づいて、第1のレベル標準のメモリカードとしてのカードの初期化に成功している場合には、カードは、第1のレベル標準のメモリカードとして制御される。
【００８９】
第1のレベル標準のメモリカードとしてのカードの初期化に成功していない場合には、S1230が実行される。
【００９０】
S1230.  SIMカードとしてカードを初期化する。
【００９１】
その初期化に成功している場合には、カードは、SIMカードとして制御される。
【００９２】
S1240.  SIMカードとしてのそのカードの初期化に成功していない場合には、第2のレベル標準のメモリカードとしてそのカードを初期化する。
【００９３】
その初期化に成功している場合には、そのカードは、第2のレベル標準のメモリカードとして制御される。
【００９４】
その初期化に成功していない場合には、カードが破損しているか又はまだカードが挿入されていないということを決定する。
【００９５】
図14は、本発明のある1つの実施形態にしたがった他の端末デバイスの概略的な構成図である。図14に示されているように、その端末デバイス1400は、具体的には、IOサブシステム1401、プロセッサ1402、及びメモリ1403を含む。それらのモジュールは、バスを使用して接続されてもよい。
【００９６】
IOサブシステム1401に関する情報については、図1及び図2に示されている複数の実施形態を参照してもよい。プロセッサ1402は、端末デバイスを制御して、図9又は図12における端末デバイスに関連する処理手順を実行してもよく、及び/又は、この出願において説明されている技術の他の手順のために使用されてもよい。メモリ1403は、端末デバイスのプログラムコード及びデータを格納するように構成される。
【００９７】
ソフトウェア、ハードウェア、ファームウェア、又はそれらのいずれか組み合わせを使用して、本発明の上記の複数の実施形態のすべて又は一部を実装することが可能である。ソフトウェアを使用して実装するときに、それらの複数の実施形態は、コンピュータプログラム製品の形態で完全に又は部分的に実装されてもよい。コンピュータプログラム製品は、1つ又は複数のコンピュータ命令を含む。コンピュータプログラム命令が、コンピュータによってロードされ、そして、実行されるときに、本発明のそれらの複数の実施形態にしたがった手順又は機能が完全に又は部分的に生成される。コンピュータは、汎用コンピュータ、専用コンピュータ、コンピュータネットワーク、又は他のプログラム可能な装置であってもよい。コンピュータ命令は、コンピュータ読み取り可能な記憶媒体の中に格納されていてもよく、又は、ある1つのコンピュータ読み取り可能な記憶媒体から他のコンピュータ読み取り可能な記憶媒体に伝送されてもよい。例えば、(例えば、同軸ケーブル、光ファイバ、又はディジタル加入者線(Digital  Subscriber  Line,  DSL)等の)有線方式によって又は(例えば、赤外線、無線、又はマイクロ波等の)無線方式によって、ウェブサイト、コンピュータ、サーバ、又はデータセンターから他のウェブサイト、他のコンピュータ、他のサーバ、又は他のデータセンターに、それらのコンピュータ命令を伝送してもよい。コンピュータ読み取り可能な記憶媒体は、コンピュータによってアクセス可能ないずれかの使用可能な媒体であってもよく、或いは、1つ又は複数の使用可能な媒体を組み込んであるサーバ又はデータセンター等のデータ記憶デバイスであってもよい。使用可能な媒体は、(例えば、フロッピーディスク、ハードディスク、又は磁気テープ等の)磁気媒体、(例えば、DVD等の)光媒体、又は(例えば、ソリッドステートディスク(Solid  State  Disk,  SSD)等の)半導体媒体等であってもよい。
【００９８】
上記の説明は、本発明の複数の特定の実装であるにすぎず、本発明の保護の範囲を制限することを意図してはいない。本発明によって開示されている技術的範囲の中で当業者が容易に理解するいずれかの変更又は置換は、本発明の保護の範囲に属するものとする。したがって、本発明の保護の範囲は、請求項の保護の範囲にしたがうものとする。
【図１】
2022502978.tif 000006
【図２】
2022502978.tif 000007
【図３】
2022502978.tif 000008
【図４】
2022502978.tif 000009
【図５】
2022502978.tif 000010
【図６】
2022502978.tif 000011
【図７】
2022502978.tif 000012
【図８】
2022502978.tif 000013
【図９】
2022502978.tif 000014
【図１０】
2022502978.tif 000015
【図１１】
2022502978.tif 000016
【図１２】
2022502978.tif 000017
【図１３】
2022502978.tif 000018
【図１４】
2022502978.tif 000019
【手続補正書】
【提出日】令和3年5月14日(2021.5.14)
【手続補正１】
【補正対象書類名】特許請求の範囲
【補正対象項目名】全文
【補正方法】変更
【補正の内容】
【特許請求の範囲】
【請求項１】
端末デバイスであって、当該端末デバイスは、
カードソケット、SIMモジュール、メモリカードモジュール、及びスイッチを含み、
前記カードソケットは、SIMカード又はメモリカードを配置するように構成され、
前記スイッチは、第1のスイッチ、第2のスイッチ、及び第3のスイッチを含み、
前記SIMモジュールは、少なくとも、SIMデータインターフェイス、SIMリセットインターフェイス、及びSIMクロックインターフェイスを含み、
前記メモリカードモジュールは、少なくとも、第1のメモリカードデータインターフェイス、第2のメモリカードデータインターフェイス、及びメモリカードクロックインターフェイスを含み、
SIMカードが前記カードソケットに配置されていることに応答して、前記SIMカードのデータインターフェイスは、前記第1のスイッチを介して前記SIMデータインターフェイスに電気的に接続され、前記SIMカードのリセットインターフェイスは、前記第2のスイッチを介して前記SIMリセットインターフェイスに電気的に接続され、前記SIMカードのクロックインターフェイスは、前記第2のスイッチを介して前記SIMリセットインターフェイスに電気的に接続される、
端末デバイス。
【請求項２】
メモリカードが前記カードソケットに配置されていることに応答して、前記メモリカードの第1のデータインターフェイスは、前記第1のスイッチを介して前記第1のメモリカードデータインターフェイスに電気的に接続され、前記メモリカードの第2のデータインターフェイスは、前記第2のスイッチを介して前記第2のメモリカードデータインターフェイスに電気的に接続され、前記メモリカードの第3のデータインターフェイスは、前記第3のスイッチを介して第3のメモリカードデータインターフェイスに電気的に接続される、請求項1に記載の端末デバイス。
【請求項３】
前記SIMカードの外形は、前記メモリカードの外形と同じである、請求項1又は2に記載の端末デバイス。
【請求項４】
前記SIMカードの大きさは、前記メモリカードの大きさと同じである、請求項1乃至3のうちのいずれか1項に記載の端末デバイス。
【請求項５】
前記SIMカードは、ナノSIMカードである、請求項1乃至4のうちのいずれか1項に記載の端末デバイス。
【請求項６】
前記端末デバイスは、検出回路をさらに含み、前記検出回路は、前記カードソケットに配置されているカードがSIMカードであるか又はメモリカードであるということを検出するように構成される、請求項1乃至5のうちのいずれか1項に記載の端末デバイス。
【請求項７】
当該端末デバイスは、制御回路をさらに含み、
前記カードソケットの中に配置されているカードが存在するときに、前記制御回路は、前記カードに第1のコマンドを送信し、そして、前記検出回路は、前記カードからの応答に基づいて、前記カードが前記メモリカードであるか又は前記SIMカードであるということを検出する、請求項6に記載の端末デバイス。
【請求項８】
当該端末デバイスは、電源をさらに含み、前記カードソケットの中に配置されているカードが存在するときに、前記電源の電圧は、第1の電圧に設定され、
前記検出回路が、前記カードが前記メモリカードであるか又は前記SIMカードであるということを検出するときに、前記電源の前記電圧は、前記メモリカード又は前記SIMカードに対応する電圧に設定される、請求項6又は7に記載の端末デバイス。
【請求項９】
メモリカードアダプタであって、当該メモリカードアダプタは、
第1の標準のメモリカードソケットに対応するハウジング部分を含み、前記ハウジング部分は、
カードソケットであって、前記カードソケットは、第2の標準のメモリカードを配置するように構成され、前記第2の標準の前記メモリカードの外形は、ナノSIMカードの外形と同じであり、前記第2の標準の前記メモリカードの大きさは、前記ナノSIMカードの大きさと同じであり、
前記カードソケットは、8つの端子を含み、前記8つの端子は、第1の端子、第2の端子、第3の端子、第4の端子、第5の端子、第6の端子、第7の端子、及び第8の端子を含み、
前記第1の端子は、前記第1の標準の前記メモリカードの第1のデータインターフェイスと接続するように構成され、
前記第2の端子は、前記第1の標準の前記メモリカードの第2のデータインターフェイスと接続するように構成され、
前記第3の端子は、前記第1の標準の前記メモリカードの第3のデータインターフェイスと接続するように構成され、
前記第4の端子は、前記第1の標準の前記メモリカードの第4のデータインターフェイスと接続するように構成され、
前記第5の端子は、前記第1の標準の前記メモリカードのコマンドインターフェイスと接続するように構成されるか、又は、前記第5の端子は、前記第1の標準の前記メモリカードの要求インターフェイスと接続するように構成され、
前記第6の端子は、前記第1の標準の前記メモリカードのクロックインターフェイスと接続するように構成され、
前記第7の端子は、前記第1の標準の前記メモリカードの電力インターフェイスと接続するように構成され、
前記第8の端子は、前記第1の標準の前記メモリカードの接地インターフェイスと接続するように構成される、カードソケットと、
変換器回路であって、前記変換器回路は、第1の標準のメモリカードのインターフェイスへと、前記第2の標準の前記メモリカードのインターフェイスを変換するように構成されている、変換器回路と、を含む、
メモリカードアダプタ。
【請求項１０】
前記第1の標準の前記メモリカードの動作レベルは、前記第2の標準の前記メモリカードの動作レベルとは異なっている、請求項9に記載のメモリカードアダプタ。
【請求項１１】
前記変換器回路は、レベル変換器回路を含み、前記レベル変換器回路は、通信の際に、前記第1の標準の前記メモリカードの前記インターフェイスの動作レベルと前記第2の標準の前記メモリカードの前記インターフェイスの動作レベルとの間で変換を実行するように構成される、請求項9又は10に記載のメモリカードアダプタ。
【請求項１２】
前記変換器回路は、トランス回路をさらに含み、前記トランス回路は、前記レベル変換器回路に電力を供給するように構成される、請求項11に記載のメモリカードアダプタ。
【請求項１３】
前記第1の標準の前記メモリカードは、複数の動作レベルを含み、当該メモリカードアダプタは、スイッチをさらに含み、前記スイッチは、当該メモリカードアダプタの前記動作レベルを制御するように構成される、請求項9乃至12のうちのいずれか1項に記載のメモリカードアダプタ。
【請求項１４】
前記スイッチは、前記ハウジング部分の中の前記変換器回路と前記第1の標準のメモリカードインターフェイスとの間に配置されている、請求項13に記載のメモリカードアダプタ。
【手続補正２】
【補正対象書類名】明細書
【補正対象項目名】全文
【補正方法】変更
【補正の内容】
【発明の詳細な説明】
【技術分野】
【０００１】
本発明の複数の実施形態は、通信技術の分野に関し、特に、メモリカード、メモリカードアダプタ、及び端末デバイスに関する。
【背景技術】
【０００２】
技術の継続的な発展及び人々の生活ニーズの持続的な増大に伴って、人体の生理機能に適応するために、端末デバイスの大きさはあまり変化していないが、一方で、端末デバイスの機能は増大しつつある。結果として、ある端末デバイスの中の空間は、極めて貴重なものとなる。特に、ユーザが大画面及びフルスクリーンの端末デバイスを追求すると、端末デバイスの中にさまざまな機能モジュールを配置するための空間は、さらに圧縮される。したがって、端末デバイスの空間利用を改善することは特に重要である。
【０００３】
現在、端末デバイスの多くは、2つの加入者識別モジュール(subscriber  identification  module,  SIM)を使用して構成されているが、一方で、市場においては、人々の多くは、1つのみのSIMを使用し、残りのカードソケットは、基本的に、空のままとなっている。その残りのカードソケットをどのようにより有効に利用するかは、当業者が緊急に解決することが必要である技術的な問題となっている。
【発明の概要】
【０００４】
この出願の複数の実施形態は、メモリカード、メモリカードアダプタ、及び端末デバイスを提供する。この出願のそれらの複数の実施形態のうちのいくつかにおいては、端末デバイスの中のカードソケットを有効に利用して、端末デバイスの空間利用を改善することが可能である。
【０００５】
第1の態様によれば、この出願は、端末デバイスを提供する。当該端末デバイスは、カードソケット、SIMモジュール、メモリカードモジュール、スイッチ、検出回路、及び制御回路を含む。前記カードソケットは、SIMカード又はメモリカードを配置するように構成され、前記カードソケットは、第1のインターフェイスを含み、前記第1のインターフェイスは、前記スイッチを介して前記SIMカード又は前記メモリカードに接続される。前記第1のインターフェイスは、前記スイッチの第1の端子に接続される。前記SIMモジュールは、前記スイッチの第2の端子に接続される。前記メモリカードモジュールは、前記スイッチの第3の端子に接続される。前記検出回路は、当該端末デバイスの中に配置されているカードがSIMカードであるか又はメモリカードであるということを検出するように構成される。前記制御回路は、前記検出回路の検出結果に基づいて、前記スイッチの前記第2の端子に接続するように前記スイッチの前記第1の端子を制御するか、又は、前記スイッチの前記第3の端子に接続するように前記スイッチの前記第1の端子を制御する。この出願のこの実施形態においては、端末デバイスのカードソケットは、SIMカード又はメモリカードのうちのいずれかを配置するように構成されてもよく、それにより、端末デバイスの空間利用を改善することが可能である。特に、複数のカードをサポートするそれらの端末デバイスの場合には、カードインターフェイスの空間利用を改善することが可能であり、それにより、ユーザの体験を改善することが可能である。
【０００６】
ある1つの可能な実装において、前記SIMカードの外形及び大きさは、前記メモリカードの外形及び大きさと同じである。この出願のこの実施形態においては、SIM及びメモリカードは、スイッチを介して端末デバイスのインターフェイスリソースを共有することが可能であり、端末デバイスのリソースの利用を改善する。
【０００７】
他の可能な実装において、SIMは、(第4の形状因子集積回路基板と称される)ナノSIMであってもよい。このことに基づいて、SIMモジュールは、少なくとも、SIMデータインターフェイス、SIMリセットインターフェイス、及びSIMクロックインターフェイスを含む。メモリカードモジュールは、少なくとも、第1のメモリカードデータインターフェイス、第2のメモリカードデータインターフェイス、及びメモリカードクロックインターフェイスを含む。SIMデータインターフェイスは、第1のスイッチの第2の端子に接続され、第1のメモリカードデータインターフェイスは、第1のスイッチの第3の端子に接続される。SIMリセットインターフェイスは、第2のスイッチの第2の端子に接続され、第2のメモリカードデータインターフェイスは、第2のスイッチの第3の端子に接続される。SIMクロックインターフェイスは、第3のスイッチの第2の端子に接続され、メモリカードクロックインターフェイスは、第3のスイッチの第3の端子に接続される。第1のスイッチの第1の端子は、第1のインターフェイスの第1の端子に接続され、第2のスイッチの第1の端子は、第1のインターフェイスの第2の端子に接続され、第3のスイッチの第1の端子は、第3のスイッチの第3の端子に接続される。
【０００８】
他の可能な実装において、前記検出回路が、当該端末デバイスの中に配置されているカードがSIMカードであるか又はメモリカードであるということを検出するように構成されることは、
当該端末デバイスの中に配置されているカードが存在するときは、前記制御回路が、前記カードに第1のコマンドを送信し、そして、前記検出回路が、前記第1のコマンドに対する前記カードからの応答に基づいて、前記カードが前記メモリカードであるか又は前記SIMカードであるということを検出することを含む。
【０００９】
他の可能な実装において、上記の端末デバイスは、電源をさらに含み、当該端末デバイスの中に配置されているカードが存在するときに、前記電源の電圧は、第1の電圧に設定され、
前記検出回路が、前記カードが前記メモリカードであるか又は前記SIMカードであるということを検出するときに、前記電源の前記電圧は、前記メモリカード又は前記SIMカードに対応する電圧に設定される。
【００１０】
第2の態様によれば、この出願は、SIMカードを提供する。SIMカードの外形及び大きさは、メモリカードと同じであり、SIMカードの電力インターフェイスの位置は、メモリカードの電力インターフェイスの位置に対応し、SIMカードの接地インターフェイスの位置は、メモリカードの接地インターフェイスの位置に対応する。この出願のこの実施形態によって提供されるSIMカードは、SIMカードと同じ外形及び大きさを有するメモリカードとの間で、端末デバイスのカードソケットを共有してもよく、それにより、端末デバイスのリソースの利用を改善することが可能である。
【００１１】
ある1つの可能な実装において、ある1つの可能な実装において、メモリカードは、マイクロセキュアディジタルメモリ(micro  secure  digital  memory,  Micro  SD)カードである。SIMモジュールは、少なくとも、SIMデータインターフェイス、SIMリセットインターフェイス、及びSIMクロックインターフェイスを含む。メモリカードモジュールは、少なくとも、第1のメモリカードデータインターフェイス、第2のメモリカードデータインターフェイス、及びメモリカードクロックインターフェイスを含む。SIMデータインターフェイスの位置は、第1のメモリカードデータインターフェイスの位置に対応し、SIMリセットインターフェイスの位置は、第2のメモリカードデータインターフェイスの位置に対応し、SIMクロックインターフェイスの位置は、メモリカードクロックインターフェイスの位置に対応する。
【００１２】
第3の態様によれば、この出願は、メモリカードを提供する。当該メモリカードの外形及び大きさは、SIMカードの外形及び大きさと同じであり、前記SIMカードの電力インターフェイスの位置は、当該メモリカードの電力インターフェイスの位置に対応し、前記SIMカードの接地インターフェイスの位置は、当該メモリカードの接地インターフェイスの位置に対応する。この出願のこの実施形態によって提供されるメモリカードは、そのメモリカードと同じ外形及び大きさを有するSIMカードとの間で、端末デバイスのカードソケットを共有してもよく、それにより、端末デバイスのリソースの利用を改善することが可能である。
【００１３】
ある1つの選択的な実装において、上記のSIMカードは、ナノSIMカードである。前記SIMモジュールは、少なくとも、SIMデータインターフェイス、SIMリセットインターフェイス、及びSIMクロックインターフェイスを含む。前記メモリカードモジュールは、少なくとも、第1のメモリカードデータインターフェイス、第2のメモリカードデータインターフェイス、及びメモリカードクロックインターフェイスを含む。前記SIMデータインターフェイスの位置は、前記第1のメモリカードデータインターフェイスの位置に対応し、前記SIMリセットインターフェイスの位置は、前記第2のメモリカードデータインターフェイスの位置に対応し、前記SIMクロックインターフェイスの位置は、前記メモリカードクロックインターフェイスの位置に対応する。
【００１４】
第4の態様によれば、この出願は、第1の標準のメモリカードソケットに対応するハウジング部分を含むメモリカードアダプタを提供する。前記ハウジング部分は、カードソケットであって、前記カードソケットは、第2の標準のメモリカードを配置するように構成され、前記第2の標準の前記メモリカードの外形及び大きさは、ナノSIMカードの外形及び大きさと同じであり、前記第2の標準の前記メモリカードの少なくとも1つのインターフェイスの位置は、前記ナノSIMカードのインターフェイスの位置に対応する、カードソケットと、変換器回路であって、前記変換器回路は、第1の標準のメモリカードのインターフェイスへと、前記第2の標準の前記メモリカードのインターフェイスを変換するように構成される、変換器回路と、を含む。メモリカードアダプタは、外形、大きさ、及び複数のインターフェイス位置がナノSIMカードの外形、大きさ、及び複数のインターフェイス位置に対応するメモリカードを他の標準のメモリカードへと変換することが可能である。
【００１５】
ある1つの選択的な実装において、前記第1の標準の前記メモリカードの動作レベルは、前記第2の標準の前記メモリカードの動作レベルとは異なり、前記変換器回路は、レベル変換器回路及びトランス回路を含み、前記レベル変換器回路は、通信の際に、前記第1の標準の前記メモリカードの前記インターフェイスの動作レベルと前記第2の標準の前記メモリカードの前記インターフェイスの動作レベルとの間で変換を実行するように構成され、前記トランス回路は、前記レベル変換器回路に電力を供給するように構成される。
【００１６】
ある1つの選択的な実装において、前記第1の標準の前記メモリカードは、複数の動作レベルを含み、前記メモリカードアダプタは、スイッチをさらに含み、前記スイッチは、当該メモリカードアダプタの前記動作レベルを制御するように構成される。
【００１７】
ある1つの選択的な実装において、前記スイッチは、前記ハウジング部分の中の前記変換器回路と前記第1の標準のメモリカードインターフェイスとの間に配置される。
【００１８】
第5の態様によれば、この出願は、カード認識方法を提供する。初期化モードは、複数の通信プロトコルのためにあらかじめ構成され、当該方法は、IO動作レベル及び電源電圧の小さい順に、複数の通信プロトコルのためにあらかじめ構成されている前記初期化モードを使用して、カードを初期化するステップと、第1の通信プロトコルのためにあらかじめ構成されている初期化モードを使用して、カードの初期化に成功している場合に、前記第1の通信プロトコルに基づいて、前記カードを制御するステップと、を含む。この出願のこの実施形態においては、初期化プロセスを横断的に実行することによって、カードソケットの中に配置されているカードのタイプを認識することが可能である。
【００１９】
ある1つの選択的な実装において、複数の通信プロトコルは、双方ともに1.8[V]である電源電圧及びIO動作レベルを有するSIM通信プロトコル、1.8[V]のIO動作レベル及び3[V]の電源電圧を有するメモリカード通信プロトコル、双方ともに3[V]である電源電圧及びIO動作レベルを有するメモリカード通信プロトコル、及び、双方ともに3[V]である電源電圧及びIO動作レベルを有するSIM通信プロトコル、のうちの1つ又は複数を含む。
【００２０】
第6の態様によれば、この出願は、カード認識方法を提供する。当該方法は、端末デバイスに適用可能である。前記端末デバイスは、カードソケットを含み、前記カードソケットは、複数の端子を含む。当該方法は、前記カードソケットのインターフェイスの複数の端子のうちの少なくとも1つの第1の動作状態を検出するステップであって、前記インターフェイスの前記複数の端子のうちの前記少なくとも1つの動作状態は、通信プロトコルと対応している、ステップと、前記第1の動作状態に対応する通信プロトコルに基づいて、カードを制御するステップと、を含む。この出願のこの実施形態においては、カードソケットのインターフェイスの動作状態を検出して、複数の異なるタイプのカードについて、複数の端子の複数の動作状態の間の差に基づいて、カードソケットの中に配置されている外部カードのタイプを認識する。
【００２１】
ある1つの選択的な実装において、前記複数の端子は、メモリカードのみに接続するように構成される少なくとも1つの端子を含む。
【００２２】
他の選択的な実装において、前記インターフェイスの前記複数の端子のうちの前記少なくとも1つの動作状態と通信プロトコルとの間の対応関係は、通信状態にあるときに、メモリカードのみに接続するように構成される端子が、メモリカード通信プロトコルに対応していること、及び、
短絡状態にあるときに、メモリカードのみに接続するように構成される前記端子が、SIM通信プロトコルに対応していること、を含む。
【００２３】
他の選択的な実装において、前記メモリカード通信プロトコルは、マイクロSDカード通信プロトコルを含み、前記SIM通信プロトコルは、ナノSIM通信プロトコルを含む。
【００２４】
第7の態様によれば、この出願は、カード認識方法を提供する。その方法は、端末デバイスに適用可能であり、当該方法は、
第1の電圧を使用して、カードにコマンドを送信し、そして、前記カードが送信する応答を受信する場合に、メモリカードとして前記カードを初期化するステップを含む。
【００２５】
ある1つの選択的な実装において、メモリカードとして前記カードを初期化する前記ステップは、第1のレベル標準のメモリカードとして前記カードを初期化するステップを含む。当該方法は、第1のレベル標準のメモリカードとしての前記カードの初期化に成功していない場合に、SIMカードとして前記カードを初期化するステップをさらに含む。
【００２６】
ある1つの選択的な実装において、当該方法は、カードが送信する応答を受信しない場合に、SIMとして前記カードを初期化するステップをさらに含む。
【００２７】
ある1つの選択的な実装において、当該方法は、SIMとしての前記カードの初期化に成功していない場合に、第2のレベル標準のメモリカードとして前記カードを初期化するステップをさらに含む。
【００２８】
第8の態様によれば、この出願は、端末デバイスを提供する。当該端末デバイスは、IOサブシステム、プロセッサ、及びメモリを含み、前記メモリは、プログラムを格納するように構成され、前記IOサブシステムは、カードと対話するように構成され、前記プロセッサは、前記メモリの中に格納されている前記プログラムを実行して、第5の態様、第6の態様、及び第7の態様のうちの1つ又は複数の態様にしたがった方法を実行するように当該端末デバイスを制御する、ように構成される。
【００２９】
第9の態様によれば、この出願は、コンピュータ読み取り可能な記憶媒体を提供し、当該コンピュータ読み取り可能な記憶媒体は、コンピュータプログラムを格納している。コンピュータプログラムがプロセッサによって実行されるときに、第5の態様、第6の態様、及び第7の態様のうちのいずれか1つ又は複数の態様にしたがった方法を実装する。
【００３０】
第10の態様によれば、この出願は、命令を含むコンピュータプログラム製品を提供する。命令がコンピュータによって実行されるときに、コンピュータが、第5の態様、第6の態様、及び第7の態様のうちのいずれか1つ又は複数の態様にしたがった方法を実行することを可能とする。
【００３１】
第11の態様によれば、この出願は、プロセッサ及びメモリを含むチップを提供し、前記メモリは、プログラムを格納するように構成され、前記プロセッサは、前記メモリの中に格納されているプログラムを実行して、第5の態様、第6の態様、及び第7の態様のうちのいずれかの1つ又は複数の態様にしたがった方法を実行するように構成される。
【図面の簡単な説明】
【００３２】
【図１】本発明のある1つの実施形態にしたがった端末デバイスの概略的な構成図である。
【図２】本発明のある1つの実施形態にしたがった他の端末デバイスの概略的な構成図である。
【図３】本発明のある1つの実施形態にしたがったSIMカードの概略的な構成図である。
【図４】本発明のある1つの実施形態にしたがったメモリカードの概略的な構成図である。
【図５】本発明のある1つの実施形態にしたがった他のメモリカードの概略的な構成図である。
【図６】本発明のある1つの実施形態にしたがったメモリカードアダプタの概略的な構成図である。
【図７】本発明のある1つの実施形態にしたがった他のメモリカードアダプタの概略的な構成図である。
【図８】本発明のある1つの実施形態にしたがったメモリカードアダプタの概略的な構成図である。
【図９】この出願のある1つの実施形態にしたがったカード認識方法の概略的なフローチャートである。
【図１０】この出願のある1つの実施形態にしたがった他のカード認識方法の概略的なフローチャートである。
【図１１】この出願のある1つの実施形態にしたがった他のカード認識方法の概略的なフローチャートである。
【図１２】この出願のある1つの実施形態にしたがった他のカード認識方法の概略的なフローチャートである。
【図１３】この出願のある1つの実施形態にしたがった他のメモリカードインターフェイスの概略的な図である。
【図１４】本発明のある1つの実施形態にしたがった端末デバイスの概略的な構成図である。
【発明を実施するための形態】
【００３３】
この出願の複数の技術的解決方法は、以下のように、複数の添付の図面及び複数の実施形態を参照して詳細に説明される。
【００３４】
この出願のそれらの複数の実施態様において、"第1の"、"第2の"、及び"第3の"等の語は、本明細書において、さまざまな要素、構成要素、領域、層、及び/又は部分を説明するのに使用されてもよいが、これらの要素、構成要素、領域、層、及び/又は部分は、これらの語によっては限定されない。これらの語は、他の領域、層、又は部分から、ある1つの要素、構成要素、領域、層、又は部分を判別するのに使用されるにすぎない。したがって、以下で議論される第1の要素、構成要素、領域、層、又は部分は、本発明の発明概念の教示を離れることなく、第2の要素、構成要素、領域、層、又は部分と称されてもよい。
【００３５】
分析によれば、端末デバイスの多くは、2つ又はさらに多くのSIMを使用して構成されているが、市場においては、人々の多くは、1つのSIMのみを使用し、残りのカードソケットは基本的に空きのままとなっており、一方で、ユーザが、外部メモリカードを使用して、端末デバイスの記憶装置を拡張し又はデータを移動することについて、大きな需要があるということがわかる。このことに基づいて、この出願のそれらの複数の実施形態によって提供される解決方法において、端末デバイスの中の1つ又は複数のカードソケットは、SIMカード及びメモリカードの双方をサポートするように設計されてもよく、それにより、端末デバイスの中のカードソケットを効率的に利用し、そして、端末デバイスの空間利用を改善する。
【００３６】
図1は、この出願のある1つの実施形態にしたがった端末デバイスの概略的な構成図である。図1に示されているように、端末デバイス100は、特に、カードソケット110、SIMモジュール130、メモリカードモジュール120、n個のスイッチ140、検出回路150、及び制御回路160を含んでもよく、nは、正の整数である。
【００３７】
カードソケット110は、SIMカード及びメモリカードを配置するように構成される。端末デバイス100は、2つ又はそれ以上のカードを収容するように構成されてもよく、カードは、SIMカード又はメモリカードであってもよい。特に、このことは、複数の方式によって実装されてもよい。例えば、端末デバイス100は、2つ又はそれ以上のカードソケットを備えてもよく、それらの2つ又はそれ以上のカードソケットのインターフェイスは、部分的に又は完全に、図1に示されているカードソケット110のインターフェイス構成として構成されてもよく、各々のカードソケット110は、1つのSIMカード又は1つのメモリカードを配置するように構成されてもよい。他の例として、端末デバイス100のカードソケット110は、2つ又はそれ以上のインターフェイスを含んでもよく、2つ又はそれ以上のインターフェイスは、部分的に又は完全に、図1に示されているカードソケット110のインターフェイス構造として構成されてもよく、各々のインターフェイスは、1つのSIMカード又は1つのメモリカードを配置するように構成されてもよい。
【００３８】
カードソケット110は、第1のインターフェイスを含み、第1のインターフェイスは、スイッチを介してSIMカード又はメモリカードに接続される。例えば、スイッチは、双方向マルチプレクサスイッチであってもよい。
【００３９】
第1のインターフェイスは、スイッチの第1の端子に接続される。
【００４０】
SIMモジュールは、スイッチの第2の端子に接続される。
【００４１】
メモリカードモジュールは、スイッチの第3の端子に接続される。
【００４２】
検出回路150は、端末デバイスの中に配置されているカードがSIMカードであるか又はメモリカードであるということを検出するように構成される。
【００４３】
制御回路160は、検出回路の検出結果に基づいて、スイッチの第2の端子に接続するようにスイッチの第1の端子を制御するか、又は、スイッチの第3の端子に接続するようにスイッチの第1の端子を制御する。
【００４４】
図1を参照すると、カードソケット110の第1のインターフェイスは、例えば、図1に示されている第1の端子111、第2の端子112、第3の端子113、及び第4の端子114等の複数の端子を含む。カードソケット110は、第1のインターフェイスの複数の端子を介して、カードソケット110の中に配置されているSIMカード又はメモリカードのインターフェイスに接続され、それによって、端末デバイス100は、SIMカード又はメモリカードを制御する。
【００４５】
ある1つの例として第1のインターフェイスの第1の端子111を使用すると、第1の端子111は、双方向マルチプレクサスイッチの可動の端子141(すなわち、スイッチの第1の端子)に接続され、双方向マルチプレクサスイッチの不動の端子142(すなわち、スイッチの第3の端子)は、メモリカードモジュール120に接続され、双方向マルチプレクサスイッチの不動の端子143(すなわち、スイッチの第2の端子)は、SIMモジュールに接続される。
【００４６】
それらの複数の実施形態のうちのいくつかにおいて、カードソケット110の第1のインターフェイスは、SIMカード又はメモリカードに直接的に接続されている端子をさらに含む。例えば、SIMカードのVPPインターフェイスは、プログラミングインターフェイスであり、そのVPPインターフェイスは、SIMカードの使用の際に使用されないことがよくある。したがって、VPPインターフェイスに対応するカードソケットのインターフェイスは、SIMモジュールに接続されなくてもよく、VPPインターフェイスに対応するカードソケットのインターフェイスは、メモリカードに直接的に接続されてもよい。
【００４７】
それらの複数の実施形態のうちのいくつかにおいて、カードソケット110の第1のインターフェイスは、スイッチなしで共有される端子をさらに含む。例えば、SIMカード及びメモリカードの電源(volt  current  condenser,  VCC)の電力領域は、1.8[V]乃至3.3[V]である。したがって、SIMカード及びメモリカードは、電源VCC及び接地(ground,  GND)を共有してもよい。このことに基づいて、電源インターフェイス及び接地インターフェイスに対応するカードソケット110の第1のインターフェイスの端子は、電源VCC及び接地(ground,  GND)を共有することが可能である。
【００４８】
例えば、図2を参照すると、メモリカードは、データ(data,  DAT)3インターフェイス、コマンド(command,  CMD)インターフェイス、クロック(clock,  CLK)インターフェイス、DAT0インターフェイス、DAT1インターフェイス、DAT2インターフェイス、VCCインターフェイス、及びGNDインターフェイスの8つのインターフェイスを含んでもよい。具体的には、以下の表1において説明されている。
【表１】
2022502978.tif 000020
【００４９】
ナノSIMは、プログラミング電圧(programming  voltage,  VPP)インターフェイス、CLKインターフェイス、DAT、リセット(reset,  RST)インターフェイス、VCCインターフェイス、及びGNDインターフェイスの6つのインターフェイスを含んでもよい。具体的には、以下の表2において説明されている。
【表２】
2022502978.tif 000021
【００５０】
このことに基づいて、上記のSIMカードは、少なくとも、SIM  DATインターフェイス、SIMリセットインターフェイス、及びSIMクロックインターフェイスを含み、上記のメモリカードは、少なくとも、第1のメモリカードデータインターフェイス(例えば、DAT0)、第2のメモリカードデータインターフェイス(例えば、DAT1)、及びメモリカードクロックインターフェイスを含む。1つの双方向マルチプレクサスイッチに接続されるインターフェイスのタイプは、可能な限り同じにされてもよい。例えば、SIM  DAT及び第1のメモリカードデータインターフェイス(例えば、DAT0)は、1つの双方向マルチプレクサスイッチに接続され、SIMリセットインターフェイス及び第2のメモリカードデータインターフェイス(例えば、DAT1)は、1つの双方向マルチプレクサスイッチに接続され、SIMクロックインターフェイス及びメモリカードのクロックインターフェイスは、1つの双方向マルチプレクサスイッチに接続される。このようにして、1つのスイッチを使用して同じデータタイプのインターフェイスを制御することが可能であり、故障の可能性を減少させることが可能である。SIMカード及びメモリカードは、電力インターフェイス及び接地インターフェイスをさらに含んでもよい。メモリカードは、CMDインターフェイス(インターフェイスの位置は、SIMカードのVPPインターフェイスと同じ)、第3のメモリカードデータインターフェイス(例えば、DAT2)、及び第4のメモリカードデータインターフェイス(例えば、DAT3)をさらに含んでもよい。SIMカードは、VPPインターフェイスをさらに含んでもよい。このことに基づいて、図2に示されているように、端末デバイス200のカードソケット210のインターフェイスは、少なくとも、
メモリカードモジュール220のDAT2インターフェイスに直接的に接続されるSD-DAT2インターフェイス端子、
メモリカードモジュール220のDAT3インターフェイスに直接的に接続されるSD-DAT3インターフェイス端子、
メモリカードモジュール220のCMDインターフェイスに直接的に接続されるVPF及びSD-CMDインターフェイス端子、
1つの双方向マルチプレクサスイッチを介して、SIMモジュールのリセットインターフェイス及びストレージコントローラのDAT0インターフェイスに接続されるSIMリセット及びSD-DAT0インターフェイス端子、
1つの双方向マルチプレクサスイッチを介して、SIMモジュールのクロックインターフェイス及びストレージコントローラのクロックインターフェイスに接続されるSIMクロック及びSDクロックインターフェイス端子、
IOサブシステムの電源に接続されるVCCインターフェイス端子、及び、
IOサブシステムのグラウンドに接続されるGNDインターフェイス端子、の複数の端子を含んでもよい。
【００５１】
それらの複数の実施形態のうちのいくつかにおいて、検出回路が、端末デバイスの中に配置されているカードが、SIMカードであるか又はメモリカードであるということを検出するように構成されることは、特に、端末デバイスの中に配置されているカードが存在するときに、制御回路が、カードに第1のコマンドを送信し、そして、検出回路が、第1のコマンドに対するカードの応答に基づいて、カードがメモリカードであるか又はSIMカードであるということを検出することを含む。例えば、SIMカード及びメモリカードのインターフェイスの数は異なっている。カードソケット110の第1のインターフェイスは、例えば、図2に示されているSD-DAT2インターフェイス端子又はSD-DAT3インターフェイス端末等のSIMカード又はメモリカードのインターフェイスのみに対応する端子を含んでもよい。これに基づいて、端末デバイスの検出回路150は、SIMカード又はメモリカードのインターフェイスのみに対応するカードソケット110の第1のインターフェイスが含む端子のうちのいずれか1つ又は複数の端子の動作状態を検出するように構成される。メモリカード及びSIMカードは、同じ外形及び大きさを有する一方で、異なる数のインターフェイスを有する。複数の異なるカードがカードソケットに挿入された後に、それらのカードのタイプは、カードソケットの複数の異なる端子が短絡されているか否かに基づいて、検出回路150によって認識される。例えば、図2を参照すると、検出回路250は、SD-DAT2インターフェイスのレベルを検出し、そして、SD-DAT2インターフェイスの検出されたレベルに基づいて、挿入されているカードがメモリカードであるか又はSIMカードであるということを決定する、ように構成されてもよい。加えて、代替的に、検出回路150は、カードソケット110の第1のインターフェイスの他の端子の動作状態又はカードソケット110の第1のインターフェイスの端子のすべての動作状態を検出して、端末デバイスの中に配置されているカードがSIMカードであるか又はメモリカードであるということを検出してもよい。具体的な情報については、図9乃至図12に示されている複数の実施形態を参照すべきである。本明細書においては、詳細は説明されない。
【００５２】
それらの複数の実施形態のうちのいくつかにおいて、SIMカード及びメモリカードは、同じカードソケット110の1つのインターフェイスに配置されてもよい。例えば、SIMカード及びメモリカードは、複数のインターフェイスのうちのいくつかの位置が対応するように、同じ外形及び大きさを使用して設計されてもよい。その外形は、SIMカードの外形によって標準化されてもよい。例えば、SIMカード及びメモリカードは、ナノSIM標準に準拠して構成されている。代替的に、その外形は、メモリカードの外形によって標準化されてもよい。例えば、SIMカード及びメモリカードは、マイクロSDカード標準に準拠して構成される。代替的に、専用化されている標準を決定してもよく、SIM及びメモリは、この専用化されている標準に準拠して構成される。SIMカード及びメモリカードの特定の構成については、図3、図4、及び図5に示されている複数の実施形態の説明を参照すべきである。本明細書においては、詳細は説明されない。
【００５３】
それらの複数の実施形態のうちのいくつかにおいて、端末デバイスは、電源をさらに含む。端末デバイスの中に配置されているカードが存在するときに、電源の電圧は、第1の電圧に設定され、検出回路が、カードがメモリカードであるか又はSIMカードであるということを検出するときに、電源の電圧は、メモリカード又はSIMカードに対応している電圧に設定される。特定の情報については、図11又は図12に示されている実施形態を参照すべきである。本明細書においては、詳細は説明されない。
【００５４】
図3は、さらに、この出願のある1つの実施形態にしたがったSIMカードの概略的な構成図である。図3を参照すると、そのSIMカードは、図1又は図2に示されているカードソケットの中に配置されるように構成される。図3に示されているように、SIMカード310の外形及び大きさは、メモリカード320の外形及び大きさと同じであり、SIMカードの(例えば、インターフェイス311、インターフェイス312、インターフェイス313、インターフェイス314、インターフェイス315、及びインターフェイス316等の)n個の第1のインターフェイスの位置は、メモリカードの(例えば、インターフェイス323、インターフェイス324、インターフェイス325、インターフェイス326、インターフェイス328、及びインターフェイス329等の)n個の第2のインターフェイスの位置に対応し、第1のインターフェイスは、SIMカードの電力インターフェイス及び接地インターフェイスを含み、第2のインターフェイスは、メモリカードの電力インターフェイス及び接地インターフェイスを含み、nは、正の整数である。
【００５５】
ある1つの例として、メモリカードがマイクロSDカードであるということを使用すると、SIMカード310の外形及び大きさは、マイクロSDカード320の外形及び大きさと同じであってもよい。このことに基づいて、上記のSIMモジュールは、少なくとも、SIMデータインターフェイス、SIMリセットインターフェイス、及びSIMクロックインターフェイスを含み、メモリカードモジュールは、少なくとも、第1のメモリカードデータインターフェイス、第2のメモリカードデータインターフェイス、及びメモリカードクロックインターフェイスを含み、SIMデータインターフェイスの位置は、第1のメモリカードデータインターフェイスの位置に対応し、SIMリセットインターフェイスの位置は、第2のメモリカードデータインターフェイスの位置に対応し、SIMクロックインターフェイスの位置は、メモリカードクロックインターフェイスの位置に対応する。例えば、図3を参照すると、マイクロSDカード320のインターフェイスは、DAT3インターフェイス321、CMDインターフェイス322、接地インターフェイス323、電力インターフェイス324、CLKインターフェイス325、接地インターフェイス326、DAT0インターフェイス327、DAT1インターフェイス328、及びDAT2インターフェイス329を含む。SIMカード310の対応するインターフェイスは、CMDインターフェイス322に対応するVPPインターフェイス311、接地インターフェイス323に対応する接地インターフェイス312、電力インターフェイス324に対応する電力インターフェイス313、CLKインターフェイス325に対応するCLKインターフェイス314、DAT0インターフェイス327に対応するリセットインターフェイス315、及びDAT1インターフェイス328に対応するDATインターフェイス316を含む。
【００５６】
図4は、さらに、この出願のある1つの実施形態にしたがったメモリカードの概略的な構成図である。図4を参照すると、メモリカードは、図1又は図2に示されているカードソケットの中に配置されるように構成される。図4に示されているように、メモリカードの外形及び大きさは、SIMの外形及び大きさと同じであり、SIMカードの(例えば、インターフェイス421、インターフェイス422、インターフェイス423、インターフェイス424、インターフェイス425、及びインターフェイス426等の)n個の第1のインターフェイスの位置は、メモリカードの(例えば、インターフェイス412、インターフェイス413、インターフェイス414、インターフェイス416、インターフェイス417、及びインターフェイス418等の)n個の第2のインターフェイスの位置に対応し、第1のインターフェイスは、SIMカードの電力インターフェイス及び接地インターフェイスを含み、第2のインターフェイスは、メモリカードの電力インターフェイス及び接地インターフェイスを含み、nは、正の整数である。加えて、図4を参照すると、メモリカードは、(例えば、インターフェイス411及びインターフェイス415等の)m個の第3のインターフェイスをさらに含んでもよく、それらのm個の第3のインターフェイスと同じ位置を有するインターフェイスは、SIMカードには存在しない。
【００５７】
メモリカードの外形及び大きさは、ナノSIMカードの外形及び大きさと同じであってもよい。このことに基づいて、上記のSIMモジュールは、少なくとも、SIMデータインターフェイス、SIMリセットインターフェイス、及びSIMクロックインターフェイスを含み、メモリカードモジュールは、少なくとも、第1のメモリカードデータインターフェイス、第2のメモリカードデータインターフェイス、メモリカードクロックインターフェイスを含み、SIMデータインターフェイスの位置は、第1のメモリカードデータインターフェイスの位置に対応し、SIMリセットインターフェイスの位置は、第2のメモリカードデータインターフェイスの位置に対応し、SIMクロックインターフェイスの位置は、メモリカードクロックインターフェイスの位置に対応する。
【００５８】
例えば、図5を参照すると、メモリカード510のインターフェイスは、データインターフェイス、CMDインターフェイス、接地インターフェイス、電力インターフェイス、CLKインターフェイス、DAT0インターフェイス、DAT1インターフェイス、及びDAT2インターフェイスを含む。ナノSIMカード520の対応するインターフェイスは、メモリカード510のCMDインターフェイスに対応するVPPインターフェイス、メモリカード510の接地インターフェイスに対応する接地インターフェイス、メモリカード510の電力インターフェイスに対応する電力インターフェイス、メモリカード510のCLKインターフェイスに対応するCLKインターフェイス、メモリカード510のDAT0インターフェイスに対応するリセットインターフェイス、及びDAT1インターフェイスに対応するデータインターフェイスを含む。
【００５９】
図6は、この出願のある1つの実施形態にしたがったメモリカードアダプタの概略的な構成図である。図6に示されているように、当該メモリカードアダプタ600は、
第1の標準のメモリカードソケットに対応するハウジング部分610を含み、ハウジング部分610は、
カードソケット611であって、カードソケット611は、第2の標準のメモリカード620を配置するように構成され、第2の標準のメモリカードの外形及び大きさは、ナノSIMカードの外形及び大きさと同じであり、第2の標準のメモリカードの少なくとも1つのインターフェイスの位置は、ナノSIMカードのインターフェイスの位置に対応し、メモリカード620の特定の実装については、詳細を繰り返して説明することなく、図4及び図5に示されている複数の実施形態を参照することが可能である、カードソケット611と、
通信の際に、第1の標準のメモリカードのインターフェイスのための動作レベルと第2の標準のインターフェイスのための動作レベルとの間で変換を実行するように構成される、変換器回路612と、を含んでもよい。言い換えると、メモリカードアダプタは、変換回路612を使用することによって、第1の標準のメモリカードのインターフェイスへと、第2の標準のメモリカード620のインターフェイスを変換することが可能である。
【００６０】
第1の標準は、3[V]の動作レベルを有するSDカードのための標準であり、第2の標準は、1.8[V]の動作レベルを有するナノSIMカードと同じ形状を有するメモリカードのための標準であるある1つの例を使用する。単純なカードソケット及び変換器回路を使用することによって、1.8[V]の動作レベルを有するナノSIMカードと同じ形状を有するメモリカードを3[V]の動作レベルを有するSDカードへと変換することが可能である。ナノSIMカードと同じ形状を有するメモリカードは、9[mm]×12[mm]の大きさであり、SDカードは、24[mm]×32[mm]の大きさである。したがって、あるSDカードに対応するハウジングの中に配置されているナノSDカードを使用すると、残りの空間は、1.8[V]から3[V]への変換器回路を実装するのに十分である。このことに基づいて、この出願のこの実施形態のある1つの例では、第1の標準のメモリカードは、第2の標準のメモリカードとは異なる動作レベルを有する。この場合には、変換器回路は、通信の際に、第1の標準のメモリカードのインターフェイスのため動作レベルと第2の標準のインターフェイスのため動作レベルとの間で変換を実行する必要がある。図7に示されているように、変換器回路710は、レベル変換器回路712及びトランス回路711を含み、レベル変換器回路712は、第1の標準のメモリカードのインターフェイスのための動作レベルと第2の標準のメモリカードのインターフェイスのための動作レベルとの間で変換を実行するように構成され、トランス回路711は、レベル変換器回路に電力を供給するように構成される。
【００６１】
加えて、SDカードは、複数の動作レベルバージョンで利用可能である。あるアダプタをそれらの複数のバージョンと互換性があるようにするために、機械的なスイッチを使用して、メモリカードアダプタの動作レベルを制御することが可能である。このことに基づいて、この出願のある1つの実施形態において、第1の標準のメモリカードは、複数の動作レベルを含み、メモリカードアダプタは、スイッチをさらに含み、そのスイッチは、メモリカードアダプタの動作レベルを制御するように構成される。例えば、図8に示されているように、スイッチ810は、ハウジング部分の中で変換器回路と第1の標準のメモリカードインターフェイスとの間に配置されてもよい。このようにして、スイッチ810は、第1の標準のメモリカードのインターフェイスの動作レベルに近づくように変換器回路を制御することが可能である。例えば、スイッチは、1.8[V]のギア及び3[V]のギアを使用して設定されてもよい。3[V]の動作レベルを有するSDカードの場合には、3[V]のギアにシフトして電力を供給するようにスイッチを制御してもよく、変換器回路に供給される電源の電圧は、3[V]となる。1.8[V]の動作レベルを有するSDカードの場合には、1.8[V]ギアにシフトして電力を供給するようにスイッチを制御してもよく、変換器回路に供給される電源の電圧は、1.8[V]となる。この解決方法においては、スイッチの位置が実際の動作レベルと一致しないときに、低電圧で電源を投入しても、第2の標準のメモリカードインターフェイス又は第1の標準のメモリカードインターフェイスに損傷を引き起こすことはない。
【００６２】
図9は、この出願のある1つの実施形態にしたがったカード認識方法の概略的なフローチャートである。図9に示されているように、初期化モードは、複数の通信プロトコルのためにあらかじめ構成されている。その方法は、端末デバイスの中に配置されているカードが存在するときに、制御回路は、カードに第1のコマンドを送信し、そして、検出回路は、第1のコマンドに対するカードの応答に基づいて、そのカードがメモリカードであるか又はSIMカードであるということを検出するという特定の実装であってもよい。特に、その方法は、以下のステップを含む。
【００６３】
S910.  IO動作レベル及び電源電圧の小さい順に、複数の通信プロトコルのためにあらかじめ構成されている初期化モードを使用して、カードを初期化する。第1のコマンドは、初期化コマンドであってもよい。
【００６４】
この出願における複数の通信プロトコルは、
双方ともに1.8[V]である電源電圧及びIO動作レベルを有するSIM通信プロトコル、1.8[V]のIO動作レベル及び3[V]の電源電圧を有するメモリカード通信プロトコル、双方ともに3[V]である電源電圧及びIO動作レベルを有するメモリカード通信プロトコル、及び、双方ともに3[V]である電源電圧及びIO動作レベルを有するSIM通信プロトコル、のうちの1つ又は複数を含む。
【００６５】
例えば、標準SIM、SD、及びEMMCのIO動作レベル及び電源の電圧は、以下で表3において説明されている。
【表３】
2022502978.tif 000022
【００６６】
加えて、SDカード又はEMMCカードは、100[kHz]乃至400[kHz]のCLK周波数によって、SPIモードを使用して初期化され、SIMカードの通信速度は、1[MHz]乃至5[MHz]である。そのほかに、複数の異なるインターフェイスを使用するため、それらの複数の異なるインターフェイスは、他のインターフェイスの初期化には応答しない。したがって、横断的な初期化プロセスにより、SIMカード又はメモリカードとして、さらに、特定のプロトコルのメモリカードとして、カードを認識することが可能である。メモリカードの初期化の前にSIMの初期化を実行するか、又は、メモリカードの初期化の後にSIMの初期化を実行するかは、実際の必要性に基づいて決定される。さまざまなカードの認識及びさまざまなカードのための電源の基本的な原理は、カードが焼損する危険性を生じないように、第1のレベル又は電圧仕様のカードが、より高いレベルの電圧を有することを許可しないということである。したがって、IO動作レベル及び電源電圧の小さい順に実行される初期化は、カード焼損の確率を減少させることが可能である。
【００６７】
この出願のこの実施形態においては、メモリカードは、SDプロトコル又はEMMCプロトコルの使用には限定されない。USB、UFS、又はPCIE等の他の通信プロトコルのメモリカードも、また、適切である。
【００６８】
S920.  第1の通信プロトコルのためにあらかじめ構成されている初期化モードを使用してカードの初期化に成功しているときに、第1の通信プロトコルに基づいて、カードを制御する。
【００６９】
例えば、図10を参照すると、あらかじめ構成されている通信プロトコルのための初期化モードは、(1.8[V]のIO動作レベル及び1.8[V]の電源電圧の)1.8[V]のSIM初期化、(1.8[V]のIO動作レベル及び3[V]の電源電圧の)eMMCカード初期化、(3[V]のIO動作レベル及び3[V]の電源電圧の)SDカード初期化、及び(3[V]のIO動作レベル及び3[V]の電源電圧の)3[V]のSIM初期化を含む。特に、その方法は、以下のステップを含む。
【００７０】
S1001.  1.8[V]のSIMの初期化プロセスを実行し、その1.8[V]のSIMの初期化プロセスに成功している場合には、その初期化を終了し、そして、1.8[V]のSIMカードとしてそのカードを制御する。
【００７１】
S1002.  S1001に続き、1.8[V]のSIMの初期化に成功していない場合に、eMMCカードの初期化プロセスを実行し、eMMCカードの初期化プロセスに成功している場合には、その初期化を終了し、eMMCカードとしてそのカードを制御する。
【００７２】
S1003.  S1002に続き、eMMCカードの初期化に成功していない場合に、SDカードの初期化プロセスを実行し、SDカードの初期化プロセスに成功している場合には、その初期化を終了し、SDカードとしてそのカードを制御する。
【００７３】
S1004.  S1003に続き、eMMCカードの初期化に成功していない場合に、3[V]のSIM初期化プロセスを実行し、3[V]のSIM初期化プロセスに成功している場合には、その初期化を終了し、3[V]のSIMカードとしてそのカードを制御する。
【００７４】
図11は、この出願のある1つの実施形態にしたがった他のカード認識方法の概略的なフローチャートである。図11に示されているように、その方法は、端末デバイスに適用可能である。その端末デバイスは、カードソケットを含み、カードソケットは、インターフェイスを含み、インターフェイスは、複数の端子を含む。例えば、端末デバイスは、図1又は図2に示されている端末デバイスであってもよい。その方法は、端末デバイスの中に配置されているカードが存在しているときに、制御回路は、カードに第1のコマンドを送信し、そして、検出回路は、第1のコマンドに対するカードの応答に基づいて、そのカードがメモリカードであるか又はSIMカードであるということを検出するという特定の実装であってもよい。特に、その方法は、以下のステップを含む。
【００７５】
S1110.  カードソケットのインターフェイスの複数の端子のうちの少なくとも1つの第1の動作状態を検出し、インターフェイスの複数の端子のうちの少なくとも1つの動作状態は、通信プロトコルと対応している。第1のコマンドは、カードソケットのインターフェイスのそれらの複数の端子の動作状態を検出するためのコマンドであってもよい。
【００７６】
この出願のこの実施形態は、同じ外形及び同じ大きさを有するが、異なる数のインターフェイスを有する複数のカードのすべてに適用可能である。カードソケットの中に複数の異なるカードを挿入した後に、カードソケットの複数の異なる端子が短絡されているか否かに基づいて、カードのタイプを認識する。
【００７７】
例えば、図1又は図2に示されている端末デバイスを参照すると、端末デバイスのインターフェイスの複数の端子は、メモリカードのインターフェイスのみに接続するように構成される少なくとも1つの端子を含む。したがって、少なくとも1つの端子の動作状態に基づいて、カードのタイプを決定することが可能である。
【００７８】
特に、インターフェイスの複数の端子のうちの少なくとも1つの動作状態は、通信プロトコルとの間で対応関係にあり、その対応関係は、
通信状態にあるときに、メモリカードのみに接続するように構成される端子が、メモリカード通信プロトコルに対応しているということ、及び、
短絡状態にあるときに、メモリカードのみに接続するように構成される端子が、SIM通信プロトコルに対応しているということ、を含む。
【００７９】
メモリカード通信プロトコルは、マイクロSDカード通信プロトコルを含み、SIM通信プロトコルは、ナノSIM通信プロトコルを含む。
【００８０】
S1120.  第1の動作状態に対応する通信プロトコルに基づいて、カードを制御する。
【００８１】
図12は、この出願のある1つの実施形態にしたがった他のカード認識方法の概略的なフローチャートである。図12に示されているように、その方法は、例えば、図1又は図2に示されている端末デバイス等の端末デバイスに適用可能である。その方法は、端末デバイスの中に配置されているカードが存在しているときに、制御回路は、カードに第1のコマンドを送信し、そして、検出回路は、第1のコマンドに対するカードの応答に基づいて、そのカードがメモリカードであるか又はSIMカードであるということを検出するという特定の実装であってもよい。特に、その方法は、以下のステップを含む。
【００８２】
S1210.  第1の電圧を使用してカードにコマンドを送信する。
【００８３】
本明細書においては、第2の電圧及び第1の電圧は、相対的な概念である。一般的に、カードの場合には、第2の電圧は、通常、3[V]であり、第1の電圧は、通常、1.8[V]である。
【００８４】
図13を参照すると、メモリカードは、コントローラ及びフラッシュメモリの2つの部分を含み、フラッシュメモリのみが、1.8[V]よりも大きな電力電圧で動作する必要があり、コントローラは、1.8[V]と同程度の低い電力電圧で動作することが可能である。したがって、1.8[V]の電源電圧のみを電力インターフェイスに供給するときに、メモリカードにコマンドを送信してもよく、メモリカードは、そのコマンドを処理して、応答を返送することが可能である。
【００８５】
したがって、第1の電圧をカードの電力インターフェイス及びIOインターフェイスに供給してもよく、カードにコマンドを送信してもよい。
【００８６】
カードが送信する応答を受信しない場合には、S1230を実行する。
【００８７】
S1220.  カードが送信する応答を受信する場合に、メモリカードとしてカードを初期化する。
【００８８】
メモリカードの動作レベルは、第2のレベル及び第1のレベルを含み、第1のレベルは、第2のレベルよりも低い。したがって、カードは、最初に、第1のレベル標準のメモリカードとして初期化されてもよい。例えば、第1のレベル標準のメモリカードは、EMMCカードであってもよく、第2のレベル標準のメモリカードは、SDカードであってもよい。このことに基づいて、第1のレベル標準のメモリカードとしてのカードの初期化に成功している場合には、カードは、第1のレベル標準のメモリカードとして制御される。
【００８９】
第1のレベル標準のメモリカードとしてのカードの初期化に成功していない場合には、S1230が実行される。
【００９０】
S1230.  SIMカードとしてカードを初期化する。
【００９１】
その初期化に成功している場合には、カードは、SIMカードとして制御される。
【００９２】
S1240.  SIMカードとしてのそのカードの初期化に成功していない場合には、第2のレベル標準のメモリカードとしてそのカードを初期化する。
【００９３】
その初期化に成功している場合には、そのカードは、第2のレベル標準のメモリカードとして制御される。
【００９４】
その初期化に成功していない場合には、カードが破損しているか又はまだカードが挿入されていないということを決定する。
【００９５】
図14は、本発明のある1つの実施形態にしたがった他の端末デバイスの概略的な構成図である。図14に示されているように、その端末デバイス1400は、具体的には、IOサブシステム1401、プロセッサ1402、及びメモリ1403を含む。それらのモジュールは、バスを使用して接続されてもよい。
【００９６】
IOサブシステム1401に関する情報については、図1及び図2に示されている複数の実施形態を参照してもよい。プロセッサ1402は、端末デバイスを制御して、図9又は図12における端末デバイスに関連する処理手順を実行してもよく、及び/又は、この出願において説明されている技術の他の手順のために使用されてもよい。メモリ1403は、端末デバイスのプログラムコード及びデータを格納するように構成される。
【００９７】
ソフトウェア、ハードウェア、ファームウェア、又はそれらのいずれか組み合わせを使用して、本発明の上記の複数の実施形態のすべて又は一部を実装することが可能である。ソフトウェアを使用して実装するときに、それらの複数の実施形態は、コンピュータプログラム製品の形態で完全に又は部分的に実装されてもよい。コンピュータプログラム製品は、1つ又は複数のコンピュータ命令を含む。コンピュータプログラム命令が、コンピュータによってロードされ、そして、実行されるときに、本発明のそれらの複数の実施形態にしたがった手順又は機能が完全に又は部分的に生成される。コンピュータは、汎用コンピュータ、専用コンピュータ、コンピュータネットワーク、又は他のプログラム可能な装置であってもよい。コンピュータ命令は、コンピュータ読み取り可能な記憶媒体の中に格納されていてもよく、又は、ある1つのコンピュータ読み取り可能な記憶媒体から他のコンピュータ読み取り可能な記憶媒体に伝送されてもよい。例えば、(例えば、同軸ケーブル、光ファイバ、又はディジタル加入者線(Digital  Subscriber  Line,  DSL)等の)有線方式によって又は(例えば、赤外線、無線、又はマイクロ波等の)無線方式によって、ウェブサイト、コンピュータ、サーバ、又はデータセンターから他のウェブサイト、他のコンピュータ、他のサーバ、又は他のデータセンターに、それらのコンピュータ命令を伝送してもよい。コンピュータ読み取り可能な記憶媒体は、コンピュータによってアクセス可能ないずれかの使用可能な媒体であってもよく、或いは、1つ又は複数の使用可能な媒体を組み込んであるサーバ又はデータセンター等のデータ記憶デバイスであってもよい。使用可能な媒体は、(例えば、フロッピーディスク、ハードディスク、又は磁気テープ等の)磁気媒体、(例えば、DVD等の)光媒体、又は(例えば、ソリッドステートディスク(Solid  State  Disk,  SSD)等の)半導体媒体等であってもよい。
【００９８】
上記の説明は、本発明の複数の特定の実装であるにすぎず、本発明の保護の範囲を制限することを意図してはいない。本発明によって開示されている技術的範囲の中で当業者が容易に理解するいずれかの変更又は置換は、本発明の保護の範囲に属するものとする。したがって、本発明の保護の範囲は、請求項の保護の範囲にしたがうものとする。
【手続補正３】
【補正対象書類名】図面
【補正対象項目名】図１２
【補正方法】変更
【補正の内容】
【図１２】
2022502978.tif 000023
【国際調査報告】
2022502978.tif 000024
2022502978.tif 000025
2022502978.tif 000026
2022502978.tif 000027
2022502978.tif 000028
2022502978.tif 000029